(57)【要約】【課題】二酸化炭素の脱離性能に優れる二酸化炭素吸収剤および二酸化炭素吸収方法を提供する。【解決手段】二酸化炭素吸収剤は、二重結合を有さない六員環の炭素によって水素元素の１つが置換されたアミンからなる化合物と水を主成分とする。二重結合を有さない六員環は、窒素を含有するものであってもよく、また、アミノ基が付加されたものであってもよい。アミンの水素元素の１つがさらにアルキル基、ヒドロキシアルキル基、アミノ基またはＮ−ヒドロキシエチルアミノ基で置換されたものであってもよい。【選択図】なし【特許請求の範囲】
【請求項１】
二酸化炭素を含有するガスから二酸化炭素を吸収した後、加熱により吸収した二酸化炭素を脱離することができる二酸化炭素吸収剤において、
下記一般式（１）で示される化合物と水を主成分として有することを特徴とする二酸化炭素吸収剤。
【化１】
2008238073.tif 000012
式（１）
（式中、Ｒ１はＨ、Ｃ１〜Ｃ３のアルキル基またはＣ１〜Ｃ３のヒドロキシアルキル基であり、Ｒ２はＨ、Ｃ１〜Ｃ３のアルキル基またはＣ１〜Ｃ３のヒドロキシアルキル基であり、a、b、d、ｂ、c、ｄおよびｅは、それぞれ独立して０、１および２のうちから選ばれるとともにa＋b＋ｃ＋ｄ＋ｅ＝５を満足する整数であり、Ｒ３はＨ、Ｃ１〜Ｃ３のアルキル基、Ｃ１〜Ｃ３のヒドロキシアルキル基、アミノ基またはＮ−ヒドロキシエチルアミノ基である）
【請求項２】
二酸化炭素を含有するガスから二酸化炭素を吸収した後、加熱により吸収した二酸化炭素を脱離することができる二酸化炭素吸収剤において、
下記式（２）で示される化合物と水を主成分として有することを特徴とする二酸化炭素吸収剤。
【化２】
2008238073.tif 000013
式（２）
【請求項３】
二酸化炭素を含有するガスから二酸化炭素を吸収した後、加熱により吸収した二酸化炭素を脱離することができる二酸化炭素吸収剤において、
下記式（３）で示される化合物と水を主成分として有することを特徴とする二酸化炭素吸収剤。
【化３】
2008238073.tif 000014
式（３）
（式中、Ｒ４はヒドロキシエチル基である）
【請求項４】
二酸化炭素を含有するガスから二酸化炭素を吸収した後、加熱により吸収した二酸化炭素を脱離することができる二酸化炭素吸収剤において、
下記式（４）で示される化合物と水を主成分として有することを特徴とする二酸化炭素吸収剤。
【化４】
2008238073.tif 000015
式（４）
（式中、Ｒ５はヒドロキシエチル基である）
【請求項５】
請求項１から４のいずれか１項に記載の二酸化炭素吸収剤を用いた、二酸化炭素を含有するガスから二酸化炭素を吸収した後、吸収した二酸化炭素を脱離する二酸化炭素吸収方法であって、
４０℃〜８０℃の温度で二酸化炭素吸収剤をガスに接触させて二酸化炭素を吸収した後、６０℃〜１００℃の温度で二酸化炭素吸収剤から二酸化炭素を脱離することを特徴とする二酸化炭素吸収方法。
【請求項６】
二酸化炭素吸収剤から二酸化炭素を脱離するときの加熱源として排温水を用いることを特徴とする請求項５記載の二酸化炭素吸収方法。
【発明の詳細な説明】
【技術分野】
【０００１】
本発明は、ガス中の二酸化炭素を吸収する二酸化炭素吸収剤および二酸化炭素吸収方法に関する。
【背景技術】
【０００２】
地球温暖化問題が深刻化するなか、二酸化炭素（ＣＯ２）の削減が大きな課題となっている。
二酸化炭素の削減に向けて、日本国では、二酸化炭素の大規模発生源である電力および鉄鋼の各業界を中心として技術開発が加速している。
【０００３】
二酸化炭素を吸収することで大気中への二酸化炭素の放出を削減する方法として、化学吸収、膜分離、物理吸着・吸収等がそれぞれ検討されている。なお、吸収された二酸化炭素は適宜の方法で固定化し、あるいはまた、有効利用することが考えられている。
これらの二酸化炭素を吸収する方法のうち、吸収剤（吸収液）としてモノエタノールアミン等のアミン類を用いた化学吸収方法がよく知られている。
【０００４】
モノエタノールアミンを用いた化学吸収方法は、通常、加圧下で、６０℃程度の温度でモノエタノールアミン水溶液を処理対象ガスに接触させてガス中の二酸化炭素を吸収した後、１３０℃程度の温度にモノエタノールアミン水溶液を加熱することでモノエタノールアミン水溶液から二酸化炭素を脱離（放出、ストリッピング）する。
【０００５】
上記のモノエタノールアミン水溶液は、いわば水性吸収剤であるが、これに対して、アミンとアミン用の非水性溶液を含む非水性吸収剤を用いた化学吸収方法も知られている。
この化学吸収方法のうちのひとつとして、例えば、アミンとして、N1−シクロヘキシル−1,2−プロパンジアミン等のシクロ脂肪酸ジアミンまたは3−アミノ−3−メチル−2−ペンタノール等の立体障害第一モノアミノアルコールを用い、非水性溶液としてスルホラン等の有機溶剤を用いる方法が提案されている（特許文献１参照）。
上記の化学吸収方法は、温度３５℃〜１５０℃、圧力１００ｐｓｉｇ〜５００ｐｓｉｇで二酸化炭素を吸収剤に吸収した後、温度１００℃〜１６０℃、圧力２ｐｓｉｇ〜７５ｐｓｉｇで二酸化炭素を吸収剤から脱離して吸収剤を再生するものであり、プロセスで消費するエネルギ量が従来の方法に比べて少ないとされている。
【特許文献１】特開平０１−１５９０２１号公報
【発明の開示】
【発明が解決しようとする課題】
【０００６】
しかしながら、特許文献１の方法を含め、従来の化学吸収方法は、二酸化炭素の吸収と脱離（ストリッピング）の両工程を総括的に見たときの、いわば総合的な吸収効率の観点からは、必ずしも十分ではないように思われる。
【０００７】
本発明は、上記の課題に鑑みてなされたものであり、二酸化炭素の吸収・脱離性能に優れる二酸化炭素吸収剤および二酸化炭素吸収方法を提供することを目的とする。
【課題を解決するための手段】
【０００８】
本発明に係る二酸化炭素吸収剤は、二酸化炭素を含有するガスから二酸化炭素を吸収した後、加熱により吸収した二酸化炭素を脱離することができる二酸化炭素吸収剤において、
下記一般式（１）で示される化合物と水を主成分として有することを特徴とする。
【化１】
2008238073.tif 000002
式（１）
（式中、Ｒ１はＨ、Ｃ１〜Ｃ３のアルキル基またはＣ１〜Ｃ３のヒドロキシアルキル基であり、Ｒ２はＨ、Ｃ１〜Ｃ３のアルキル基またはＣ１〜Ｃ３のヒドロキシアルキル基であり、a、b、d、ｂ、c、ｄおよびｅは、それぞれ独立して０、１および２のうちから選ばれるとともにa＋b＋ｃ＋ｄ＋ｅ＝５を満足する整数であり、Ｒ３はＨ、Ｃ１〜Ｃ３のアルキル基、Ｃ１〜Ｃ３ヒドロキシアルキル基、アミノ基またはＮ−ヒドロキシエチルアミノ基である）
【０００９】
また、本発明に係る二酸化炭素吸収剤は、二酸化炭素を含有するガスから二酸化炭素を吸収した後、加熱により吸収した二酸化炭素を脱離することができる二酸化炭素吸収剤において、
下記式（２）で示される化合物と水を主成分として有することを特徴とする。
【化２】
2008238073.tif 000003
式（２）
【００１０】
また、本発明に係る二酸化炭素吸収剤は、二酸化炭素を含有するガスから二酸化炭素を吸収した後、加熱により吸収した二酸化炭素を脱離することができる二酸化炭素吸収剤において、
下記式（３）で示される化合物と水を主成分として有することを特徴とする。
【化３】
2008238073.tif 000004
式（３）
（式中、Ｒ４はヒドロキシエチル基である）
【００１１】
また、本発明に係る二酸化炭素吸収剤は、二酸化炭素を含有するガスから二酸化炭素を吸収した後、加熱により吸収した二酸化炭素を脱離することができる二酸化炭素吸収剤において、
下記式（４）で示される化合物と水を主成分として有することを特徴とする。
【化４】
2008238073.tif 000005
式（４）
（式中、Ｒ５はヒドロキシエチル基である）
【００１２】
また、本発明に係る二酸化炭素吸収方法は、上記の二酸化炭素吸収剤を用いた、二酸化炭素を含有するガスから二酸化炭素を吸収した後、吸収した二酸化炭素を脱離する二酸化炭素吸収方法であって、
４０℃〜８０℃の温度で二酸化炭素吸収剤をガスに接触させて二酸化炭素を吸収した後、６０℃〜１００℃の温度で二酸化炭素吸収剤から二酸化炭素を脱離することを特徴とする。
【００１３】
また、本発明に係る二酸化炭素吸収方法は、好ましくは、二酸化炭素吸収剤から二酸化炭素を脱離するときの加熱源として排温水を用いることを特徴とする。
【発明の効果】
【００１４】
本発明に係る二酸化炭素吸収剤は、アミノ基を有する六員環または含窒素六員環からなり、またはこれらの構造を骨格とする化合物と水を主成分とするため、二酸化炭素の吸収・脱離性能に優れるので、総合的な吸収効率を向上することができる。
また、本発明に係る二酸化炭素吸収方法は、上記の二酸化炭素吸収剤を用い、４０℃〜８０℃の温度で二酸化炭素吸収剤をガスに接触させて二酸化炭素を吸収した後、６０℃〜１００℃の温度で二酸化炭素吸収剤から二酸化炭素を脱離するため、上記二酸化炭素吸収剤の効果を好適に得ることができ、また、加熱源として、例えば低品位のエネルギである低温排熱を有効利用することができる。
【発明を実施するための最良の形態】
【００１５】
本発明の実施の形態について、以下に説明する。
【００１６】
本実施の形態に係る二酸化炭素吸収剤は、二酸化炭素を含有するガスから二酸化炭素を吸収した後、加熱により吸収した二酸化炭素を脱離することができるものである。
本実施の形態に係る二酸化炭素吸収剤は、二重結合を有さない六員環の炭素によって水素元素の１つが置換されたアミンからなる化合物と水を主成分とする。
ここで、主成分の語の意義は、上記化合物と水を主要な成分とする意であるとともに、本発明の作用効果を阻害しない限り、他の成分を含むことを許容する意である。このような他の成分として、例えば上記化合物を合成するときに不可避的に残存する未反応原料成分や副生物等を挙げることができる。ただし、これらに限定するものではない。
【００１７】
本実施の形態に係る二酸化炭素吸収剤の一例は、下記一般式（１）で示されるものである。この場合、アミノ基を必須構造として有する。
【００１８】
【化５】
2008238073.tif 000006
式（１）
（式中、Ｒ１はＨ、Ｃ１〜Ｃ３のアルキル基またはＣ１〜Ｃ３のヒドロキシアルキル基であり、Ｒ２はＨ、Ｃ１〜Ｃ３のアルキル基またはＣ１〜Ｃ３のヒドロキシアルキル基であり、a、b、d、ｂ、c、ｄおよびｅは、それぞれ独立して０、１および２のうちから選ばれるとともにa＋b＋ｃ＋ｄ＋ｅ＝５を満足する整数であり、Ｒ３はＨ、Ｃ１〜Ｃ３のアルキル基、Ｃ１〜Ｃ３のヒドロキシアルキル基、アミノ基またはＮ−ヒドロキシエチルアミノ基である）
【００１９】
また、本実施の形態に係る二酸化炭素吸収剤の他の例は、下記式（２）、下記式（３）または下記式（４）で示されるものである。
【００２０】
【化６】
2008238073.tif 000007
式（２）
【００２１】
【化７】
2008238073.tif 000008
式（３）
（式中、Ｒ４はヒドロキシエチル基である）
【００２２】
【化８】
2008238073.tif 000009
式（４）
（式中、Ｒ５はヒドロキシエチル基である）
【００２３】
本実施の形態に係る二酸化炭素吸収剤は、上記したものを含めて、以下の化合物を挙げることができる。
シクロヘキシルアミンおよびその類似化合物として、２−メチルシクロヘキシルアミン、３−メチルシクロヘキシルアミン、４−メチルシクロヘキシルアミン、２−エチルシクロヘキシルアミン、３−エチルヒドロキシルアミン、４−エチルシクロヘキシルアミン、２−プロピルシクロヘキシルアミン、３−プロピルシクロヘキシルキシルアミン、４−プロピルシクロヘキシルアミン、２−イソプロピルシクロヘキシルアミン、３―イソプロピルシクロヘキシルアミン、４―イソプロピルシクロヘキシルアミン、２−ヒドロキシメチルシクロヘキシルアミン、３−ヒドロキシヒドロキシルアミン、４−ヒドロキシシクロヘキシルアミン、２−ヒドロキシエチルシクロヘキシルアミン、３−ヒドロキシエチルヒドロキシルアミン、４−ヒドロキシエチルシクロヘキシルアミン、２−ヒドロキシプロピルシクロヘキシルアミン、３−ヒドロキシイソプロピルヒドロキシルアミン
N-ヒドロキシメチルシクロヘキシルアミンおよびその類似化合物として、２−メチル−Ｎ−ヒドロキシメチルシクロヘキシルアミン、３−メチル−Ｎ−ヒドロキシメチルシクロヘキシルアミン、４−メチル−Ｎ−ヒドロキシメチルシクロヘキシルアミン、
２−エチル−Ｎ−ヒドロキシメチルシクロヘキシルアミン、３−エチル−Ｎ−ヒドロキシメチルシクロヘキシルアミン、４−エチル−Ｎ−ヒドロキシメチルシクロヘキシルアミン、２−プロピル−Ｎ−ヒドロキシメチルシクロヘキシルアミン、３−プロピル−Ｎ−ヒドロキシメチルシクロヘキシルアミン、４−プロピル−Ｎ−ヒドロキシメチルシクロヘキシルアミン、３−イソプロピル−Ｎ−ヒドロキシメチルシクロヘキシルアミン、３−イソプロピル−Ｎ−ヒドロキシメチルシクロヘキシルアミン、４−イソプロピル−Ｎ−ヒドロキシメチルシクロヘキシルアミン、２−ヒドロキシメチル−Ｎ−ヒドロキシメチルシクロヘキシルアミン、３−ヒドロキシメチル−Ｎ−ヒドロキシメチルシクロヘキシルアミン、４−ヒドロキシメチル−Ｎ−ヒドロキシメチルシクロヘキシルアミン、２−ヒドロキシエチル−Ｎ−ヒドロキシメチルシクロヘキシルアミン、３−ヒドロキシエチル−Ｎ−ヒドロキシメチルシクロヘキシルアミン、４−ヒドロキシエチル−Ｎ−ヒドロキシメチルシクロヘキシルアミン、２−ヒドロキシプロピル−Ｎ−ヒドロキシメチルシクロヘキシルアミン、３−ヒドロキシプロピル−Ｎ−ヒドロキシメチルシクロヘキシルアミン、４−ヒドロキシプルピル−Ｎ−ヒドロキシメチルシクロヘキシルアミン、２−ヒドロキシエチルアミノ−Ｎ−ヒドロキシメチルシクロヘキシルアミン、３−ヒドロキシエチルアミノ−Ｎ−ヒドロキシメチルシクロヘキシルアミン、４−ヒドロキシアミノ−Ｎ−ヒドロキシメチルシクロヘキシルアミン
N-ヒドロキシメチルシクロヘキシルアミンおよびその類似化合物として、２−メチル−Ｎ−ヒドロキシメチルシクロヘキシルアミン、３−メチル−Ｎ−ヒドロキシメチルシクロヘキシルアミン、４−メチル−Ｎ−ヒドロキシメチルシクロヘキシルアミン、
２−エチル−Ｎ−ヒドロキシメチルシクロヘキシルアミン、３−エチル−Ｎ−ヒドロキシメチルシクロヘキシルアミン、４−エチル−Ｎ−ヒドロキシメチルシクロヘキシルアミン、２−プロピル−Ｎ−ヒドロキシメチルシクロヘキシルアミン、３−プロピル−Ｎ−ヒドロキシメチルシクロヘキシルアミン、４−プロピル−Ｎ−ヒドロキシメチルシクロヘキシルアミン、３−イソプロピル−Ｎ−ヒドロキシメチルシクロヘキシルアミン、３−イソプロピル−Ｎ−ヒドロキシメチルシクロヘキシルアミン、４−イソプロピル−Ｎ−ヒドロキシメチルシクロヘキシルアミン、２−ヒドロキシメチル−Ｎ−ヒドロキシメチルシクロヘキシルアミン、３−ヒドロキシメチル−Ｎ−ヒドロキシメチルシクロヘキシルアミン、４−ヒドロキシメチル−Ｎ−ヒドロキシメチルシクロヘキシルアミン、２−ヒドロキシエチル−Ｎ−ヒドロキシメチルシクロヘキシルアミン、３−ヒドロキシエチル−Ｎ−ヒドロキシメチルシクロヘキシルアミン、４−ヒドロキシエチル−Ｎ−ヒドロキシメチルシクロヘキシルアミン、２−ヒドロキシプロピル−Ｎ−ヒドロキシメチルシクロヘキシルアミン、３−ヒドロキシプロピル−Ｎ−ヒドロキシメチルシクロヘキシルアミン、４−ヒドロキシプルピル−Ｎ−ヒドロキシメチルシクロヘキシルアミン、２−ヒドロキシエチルアミノ−Ｎ−ヒドロキシメチルシクロヘキシルアミン、３−ヒドロキシエチルアミノ−Ｎ−ヒドロキシメチルシクロヘキシルアミン、４−ヒドロキシアミノ−Ｎ−ヒドロキシメチルシクロヘキシルアミン
Ｎ−メチル−N’-ヒドロキシメチルシクロヘキシルアミンおよびその類似化合物として、2-メチル−Ｎ−メチル−Ｎ’−ヒドロキシメチルシクロヘキシルアミン、３−メチル−Ｎ−メチル−Ｎ’−ヒドロキシメチルシクロヘキシルアミン、４−メチル−Ｎ−メチル−N’-ヒドロキシメチルシクロヘキシルアミン、２-エチル−N−メチル−Ｎ‘−ヒドロキシメチルルシクロヘキシルアミン、３―エチル−Ｎ−メチル−Ｎ’−ヒドロキシメチルシクロヘキシルアミン、４―エチル−Ｎ−メチル―Ｎ'−ヒドロキシメチルシクロヘキシルアミン、２−プロピル−Ｎ−メチル―Ｎ’−ヒドロキシメチルシクロヘキシルアミン、３―プロピル−Ｎ−メチル―N’-ヒドロキシメチルシクロヘキシルアミン、４―プロピル−Ｎ−メチル―Ｎ‘−ヒドロキシメチルシクロヘキシルアミン、２−イソプロピル−Ｎ−メチル−Ｎ’−ヒドロキメチルシクロヘキシルアミン、３−イソプロピル−Ｎ−メチル−Ｎ‘−ヒドロキシメチルシクロヘキシルアミン、４−イソプロピル−Ｎ−メチル−Ｎ’−ヒドロキシメチルルシクロヘキシルアミン、２−ヒドロキシメチル−Ｎ−メチル−Ｎ‘−ヒドロキシメチルクロヘキシルアミン、３−ヒドロキシメチル−Ｎ−メチル−Ｎ’−ヒドロキシメチルシクロヘキシルアミン、４−ヒドロキシメチル−Ｎ−メチル−Ｎ‘−ヒドロキシメチルシクロヘキシルアミン、２−ヒドロキシエチル−Ｎ−メチル−Ｎ’−ヒドロキシメチルシクロヘキシルアミン、３−ヒドロキシエチル−Ｎ−メチル−Ｎ‘−ヒドロキシメチルシクロヘキシルアミン、４−ヒドロキシエチル−Ｎ−メチル−Ｎ’−ヒドロキシメチルシクロヘキシルアミン、２−ヒドロキシプロピル−Ｎ−メチル−Ｎ‘−ヒドロキシメチルシクロヘキシルアミン、３−ヒドロキシプロピル−Ｎ−メチル−Ｎ’−ヒドロキシメチルシクロヘキシルアミン、４−ヒドロキシプロピル−Ｎ−メチル−Ｎ‘−ヒドロキシメチルシクロヘキシルアミン、２−ヒドロキシイソプロピル−Ｎ−メチル−Ｎ’−ヒドロキシメチルルシクロヘキシルアミン、３−ヒドロキシイソプロピル−Ｎ−メチル−Ｎ‘−ヒドロキシメチルシクロヘキシルアミン、４−ヒドロキシイソプロピル−Ｎ−メチル−Ｎ’−ヒドロキシメチルルシクロヘキシルアミン、２−ヒドロキシエチルアミノ−Ｎ−メチル−Ｎ’−ヒドロキシメチルルシクロヘキシルアミン、３−ヒドロキシエチルアミノ−Ｎ−メチル−Ｎ‘−ヒドロキシメチルシクロヘキシルアミン、４−ヒドロキシエチルアミノ−Ｎ−メチル−Ｎ’−ヒドロキシメチルルシクロヘキシルアミン
Ｎ−ヒドロキシエチルルシクロヘキシルアミンおよびその類似化合物として、２−メチル−Ｎ−ヒドロキシエチルシクロヘキシルアミン、３−メチル−Ｎ−ヒドロキシエチルシクロヘキシルアミン、４−メチル−Ｎ−ヒドロキシエチルシクロヘキシルアミン、２−エチル−N−ヒドロキシエチルシクロヘキシルアミン、３−エチル−N−ヒドロキシエチルシクロヘキシルアミン、４−エチル−N−ヒドロキシエチルシクロヘキシルアミン、２−プロピル−N−ヒドロキシエチルシクロヘキシルアミン、３−プロピル−N−ヒドロキシエチルシクロヘキシルアミン、４−プロピル−N−ヒドロキシエチルシクロヘキシルアミン、２−イソプロピル−N−ヒドロキシエチルシクロヘキシルアミン、３−イソプロピル−N−ヒドロキシエチルシクロヘキシルアミン、４−イソプロピル−N−ヒドロキシエチルシクロヘキシルアミン、２−ヒドロキシメチル−N−ヒドロキシエチルシクロヘキシルアミン、３―ヒドロキシメチル−N−ヒドロキシエチルシクロヘキシルアミン、４―ヒドロキシメチル−N−ヒドロキシエチルシクロヘキシルアミン、２−ヒドロキシエチル−N−ヒドロキシエチルシクロヘキシルアミン、３−ヒドロキシエチル−Ｎ−ヒドロキシエチルシクロヘキシルアミン、４−ヒドロキトエチル−Ｎ−ヒドロキシエチルルシクロヘキシルアミン、２−ヒドロキシプロピル−Ｎ−ヒドロキシエチルシクロヘキシルアミン、３−ヒドロキシプロピル−Ｎ−ヒドロキシエチルシクロヘキシルアミン、４−ヒドロキシプロピル−Ｎ−ヒドロキシエチルシクロヘキシルアミン、２−ヒドロキシイソプロピル−Ｎ−ヒドロキシエチルシクロヘキシルアミン、３−ヒドロキシイソプロピル−Ｎ−ヒドロキシエチルシクロヘキシルアミン、４−ヒドロキシイソプロピル−Ｎ−ヒドロキシエチルシクロヘキシルアミン、２−ヒドロキシエチルアミノ−Ｎ−ヒドロキシエチルルシクロヘキシルアミン、３−ヒドロキエチルアミノ−Ｎ−ヒドロキシエチルルシクロヘキシルアミン、４−ヒドロキシエチルアミノ−Ｎ−ヒドロキシエチルルシクロヘキシルアミン
Ｎ−メチル―Ｎ‘−ヒドロキシエチルルシクロヘキシルアミンおよびその類似化合物として、２−メチル−Ｎ−メチル―Ｎ‘−ヒドロキシエチルシクロヘキシルアミン、３―メチル−Ｎ−メチル−Ｎ’−ヒドロキシエチルシクロヘキシルアミン、４−メチル−Ｎ−メチル−Ｎ‘−ヒドロキシエチルシクロヘキシルアミン、２−エチル−Ｎ−メチル−Ｎ’−ヒドロキシエチルシクロヘキシルアミン、３−エチル−Ｎ−メチル−Ｎ’−ヒドロキシエチルシクロヘキシルアミン、４―エチル−Ｎ−メチル−Ｎ‘−ヒドロキシエチルシクロヘキシルアミン、２−プロピル−Ｎ−メチル―Ｎ’−ヒドロキシエチルシクロヘキシルアミン、３―プロピル−Ｎ−メチル―Ｎ‘−ヒドロキシエチルシクロヘキシルアミン、４―プロピル−Ｎ−メチル―Ｎ’−ヒドロキシエチルシクロヘキシルアミン、２−イソプロピル−Ｎ−メチル―Ｎ‘−ヒドロキシエチルシクロヘキシルアミン、３−イソプロピル−Ｎ−メチル―Ｎ’−ヒドロキシエチルシクロヘキシルアミン、４−イソプロピル−Ｎ−メチル−Ｎ‘−ヒドロキシエチルシクロヘキシルアミン、２−ヒドロキシメチル−Ｎ−メチル−Ｎ’−ヒドロキシエチルシクロヘキシルアミン、３−ヒドロキシメチル−Ｎ−メチル−Ｎ‘−ヒドロキシエチルシクロヘキシルアミン、４−ヒドロキシメチル−Ｎ−メチル−Ｎ’−ヒドロキシエチルシクロヘキシルアミン、２−ヒドロキシエチル−Ｎ−メチル−Ｎ‘−ヒドロキシエチルシクロヘキシルアミン、３−ヒドロキシエチル−Ｎ−メチル−Ｎ’−ヒドロキシエチルシクロヘキシルアミン、４−ヒドロキシエチル−Ｎ−メチル−Ｎ‘−ヒドロキシエチルシクロヘキシルアミン、２−ヒドロキシプロピル−Ｎ−メチル−Ｎ’−ヒドロキシエチルシクロヘキシルアミン、３−ヒドロキシプロピル−Ｎ−メチル−Ｎ‘−ヒドロキシエチルシクロヘキシルアミン、４−ヒドロキシプロピル−Ｎ−メチル−Ｎ’−ヒドロキシエチルシクロヘキシルアミン、２−ヒドロキシエチルアミノ−Ｎ−メチル−Ｎ‘−ヒドロキシエチルシクロヘキシルアミン、３−ヒドロキシエチルアミノ−Ｎ−メチル−Ｎ’−ヒドロキシエチルシクロヘキシルアミン、４−ヒドロキシアミノ−Ｎ−メチル−Ｎ‘−ヒドロキシエチルシクロヘキシルアミン
Ｎ，Ｎ−ジメチルアミノシクロヘキシルアミン、Ｎ，Ｎ−ジエチルアミノシクロヘキシルアミン、Ｎ，Ｎ−ジプロピルアミノシクロヘキシルアミン、Ｎ，Ｎ−ジイソプロピルアミノシクロヘキシルアミン、２−メチル−Ｎ，Ｎ−ジメチルアミノシクロヘキシルアミン、２−メチル−Ｎ，Ｎ−ジエチルアミノシクロヘキシルアミン、２−メチル−Ｎ，Ｎ−ジプロピルアミノシクロヘキシルアミン、２−エチル−Ｎ，Ｎ−ジイソプロピルアミノシクロヘキシルアミン、２−エチル−Ｎ，Ｎ−ジメチルアミノシクロヘキシルアミン、２−エチル−Ｎ，Ｎ−ジエチルアミノシクロヘキシルアミン、２−エチル−Ｎ，Ｎ−ジプロピルアミノシクロヘキシルアミン、２−エチル−Ｎ，Ｎ−ジイソプロピルアミノシクロヘキシルアミン、２−プロピル−Ｎ，Ｎ−ジメチルアミノシクロヘキシルアミン、２−プロピル−Ｎ，Ｎ−ジエチルアミノシクロヘキシルアミン、２−プロピル−Ｎ，Ｎ−ジプロピルアミノシクロヘキシルアミン、２−プロピル−Ｎ，Ｎ−ジイソプロピルアミノシクロヘキシルアミン、２−イソプロピル−Ｎ，Ｎ−ジメチルアミノシクロヘキシルアミン、２−イソプロピル−Ｎ，Ｎ−ジエチルアミノシクロヘキシルアミン、２−イソプロピル−Ｎ，Ｎ−ジプロピルアミノシクロヘキシ、２−アミノ−Ｎ，Ｎ−ジメチルアミノシクロヘキシルアミン、２−アミノ−Ｎ，Ｎ−ジエチルアミノシクロヘキシルアミン、２−アミノ−Ｎ，Ｎ−ジプロピルアミノシクロヘキシルアミン、２−アミノ−Ｎ，Ｎ−ジイソプロピルアミノシクロヘキシルアミン２−ヒドロキシエチルアミノ−Ｎ，Ｎ−ジメチルアミノシクロヘキシルアミン、２−ヒドロキシエチルアミノ−Ｎ，Ｎ−ジエチルアミノシクロヘキシルアミン、２−ヒドロキシエチルアミノ−Ｎ，Ｎ−ジプロピルアミノシクロヘキシルアミン、２−ヒドロキシアミノ−Ｎ，Ｎ−ジイソプロピルアミノシクロヘキシルアミン
３−メチル−Ｎ，Ｎ−ジメチルアミノシクロヘキシルアミン、３−メチル−Ｎ，Ｎ−ジエチルアミノシクロヘキシルアミン、３−メチル−Ｎ，Ｎ−ジプロピルアミノシクロヘキシルアミン、３−エチル−Ｎ，Ｎ−ジイソプロピルアミノシクロヘキシルアミン、３−エチル−Ｎ，Ｎ−ジメチルアミノシクロヘキシルアミン、３−エチル−Ｎ，Ｎ−ジエチルアミノシクロヘキシルアミン、３−エチル−Ｎ，Ｎ−ジプロピルアミノシクロヘキシルアミン、３−エチル−Ｎ，Ｎ−ジイソプロピルアミノシクロヘキシルアミン、３−プロピル−Ｎ，Ｎ−ジメチルアミノシクロヘキシルアミン、３−プロピル−Ｎ，Ｎ−ジエチルアミノシクロヘキシルアミン、３−プロピル−Ｎ，Ｎ−ジプロピルアミノシクロヘキシルアミン、３−プロピル−Ｎ，Ｎ−ジイソプロピルアミノシクロヘキシルアミン、３−イソプロピル−Ｎ，Ｎ−ジメチルアミノシクロヘキシルアミン、３−イソプロピル−Ｎ，Ｎ−ジエチルアミノシクロヘキシルアミン、３−イソプロピル−Ｎ，Ｎ−ジプロピルアミノシクロヘキシ、３−アミノ−Ｎ，Ｎ−ジメチルアミノシクロヘキシルアミン、３−アミノ−Ｎ，Ｎ−ジエチルアミノシクロヘキシルアミン、３−アミノ−Ｎ，Ｎ−ジプロピルアミノシクロヘキシルアミン、３−アミノ−Ｎ，Ｎ−ジイソプロピルアミノシクロヘキシルアミン、３−ヒドロキシエチルアミノ−Ｎ，Ｎ−ジメチルアミノシクロヘキシルアミン、３−ヒドロキシエチルアミノ−Ｎ，Ｎ−ジエチルアミノシクロヘキシルアミン、３−ヒドロキシエチルアミノ−Ｎ，Ｎ−ジプロピルアミノシクロヘキシルアミン、３−ヒドロキシルエチルアミノ−Ｎ，Ｎ−ジイソプロピルアミノシクロヘキシルアミン
４−メチル−Ｎ，Ｎ−ジメチルアミノシクロヘキシルアミン、４−メチル−Ｎ，Ｎ−ジエチルアミノシクロヘキシルアミン、４−メチル−Ｎ，Ｎ−ジプロピルアミノシクロヘキシルアミン、４−エチル−Ｎ，Ｎ−ジイソプロピルアミノシクロヘキシルアミン、４−エチル−Ｎ，Ｎ−ジメチルアミノシクロヘキシルアミン、４−エチル−Ｎ，Ｎ−ジエチルアミノシクロヘキシルアミン、４−エチル−Ｎ，Ｎ−ジプロピルアミノシクロヘキシルアミン、４−エチル−Ｎ，Ｎ−ジイソプロピルアミノシクロヘキシルアミン、４−プロピル−Ｎ，Ｎ−ジメチルアミノシクロヘキシルアミン、４−プロピル−Ｎ，Ｎ−ジエチルアミノシクロヘキシルアミン、４−プロピル−Ｎ，Ｎ−ジプロピルアミノシクロヘキシルアミン、４−プロピル−Ｎ，Ｎ−ジイソプロピルアミノシクロヘキシルアミン、４−イソプロピル−Ｎ，Ｎ−ジメチルアミノシクロヘキシルアミン、４−イソプロピル−Ｎ，Ｎ−ジエチルアミノシクロヘキシルアミン、４−イソプロピル−Ｎ，Ｎ−ジプロピルアミノシクロヘキシ、４−アミノ−Ｎ，Ｎ−ジメチルアミノシクロヘキシルアミン、４−アミノ−Ｎ，Ｎ−ジエチルアミノシクロヘキシルアミン、４−アミノ−Ｎ，Ｎ−ジプロピルアミノシクロヘキシルアミン、４−アミノ−Ｎ，Ｎ−ジイソプロピルアミノシクロヘキシルアミン、４−ヒドロキシエチルアミノ−Ｎ，Ｎ−ジメチルアミノシクロヘキシルアミン、４−ヒドロキシエチルアミノ−Ｎ，Ｎ−ジエチルアミノシクロヘキシルアミン、４−ヒドロキシエチルアミノ−Ｎ，Ｎ−ジプロピルアミノシクロヘキシルアミン、４−ヒドロキシルエチルアミノ−Ｎ，Ｎ−ジイソプロピルアミノシクロヘキシルアミン
ｏ−ジアミノシクロヘキシルアミン、ｍ−ジアミノシクロヘキシルアミン、ｐ−ジアミノシクロヘキシルアミン、２−アミノ−Ｎ−ヒドロキシメチルシクロヘキシルアミン、２−アミノ−Ｎ−ヒドロキシエチルシクロヘキシルアミン、２−アミノ−Ｎ，Ｎ−ジメチルシクロヘキシルアミン、２−アミノ−Ｎ，Ｎ−ジヒドロキシメチルシクロヘキシルアミン、２−アミノ−Ｎ，Ｎ−ジヒドロキシエチシクロヘキシルアミン、２−アミノ−Ｎ−メチル−Ｎ`−ヒドロキシメチルシクロヘキシルアミン、２−アミノ−Ｎ−メチル−Ｎ`−ヒドロキシエチルシクロヘキシルアミン、２−ヒドロキシエチルアミノ−Ｎ−ヒドロキシメチルシクロヘキシルアミン、２−ヒドロキシエチルアミノ−Ｎ−ヒドロキシエチルシクロヘキシルアミン、２−ヒドロキシアミノアミノ−Ｎ，Ｎ−ジメチルシクロヘキシルアミン、２−ヒドロキシエチルアミノ−Ｎ，Ｎ−ジヒドロキシメチルシクロヘキシルアミン、２−ヒドロキシエチルアミノ−Ｎ，Ｎ−ジヒドロキシエチシクロヘキシルアミン、２−ヒドロキシエチルアミノ−Ｎ−メチル−Ｎ`−ヒドロキシメチルシクロヘキシルアミン、２−ヒドロキシエチルアミノ−Ｎ−メチル−Ｎ`−ヒドロキシエチルシクロヘキシルアミン、
３−アミノ−Ｎ−ヒドロキシメチルシクロヘキシルアミン、３−アミノ−Ｎ−ヒドロキシエチルシクロヘキシルアミン、３−アミノ−Ｎ，Ｎ−ジメチルシクロヘキシルアミン、３−アミノ−Ｎ，Ｎ−ジヒドロキシメチルシクロヘキシルアミン、３−アミノ−Ｎ，Ｎ−ジヒドロキシエチシクロヘキシルアミン、３−アミノ−Ｎ−メチル−Ｎ`−ヒドロキシメチルシクロヘキシルアミン、３−アミノ−Ｎ−メチル−Ｎ`−ヒドロキシエチルシクロヘキシルアミン、３−ヒドロキシエチルアミノ−Ｎ−ヒドロキシメチルシクロヘキシルアミン、３−ヒドロキシエチルアミノ−Ｎ−ヒドロキシエチルシクロヘキシルアミン、３−ヒドロキシアミノアミノ−Ｎ，Ｎ−ジメチルシクロヘキシルアミン、３−ヒドロキシエチルアミノ−Ｎ，Ｎ−ジヒドロキシメチルシクロヘキシルアミン、３−ヒドロキシエチルアミノ−Ｎ，Ｎ−ジヒドロキシエチシクロヘキシルアミン、３−ヒドロキシエチルアミノ−Ｎ−メチル−Ｎ`−ヒドロキシメチルシクロヘキシルアミン、３−ヒドロキシエチルアミノ−Ｎ−メチル−Ｎ`−ヒドロキシエチルシクロヘキシルアミン、
４−アミノ−Ｎ−ヒドロキシメチルシクロヘキシルアミン、４−アミノ−Ｎ−ヒドロキシエチルシクロヘキシルアミン、４−アミノ−Ｎ，Ｎ−ジメチルシクロヘキシルアミン４−アミノ−Ｎ，Ｎ−ジヒドロキシメチルシクロヘキシルアミン、４−アミノ−Ｎ，Ｎ−ジヒドロキシエチシクロヘキシルアミン、４−アミノ−Ｎ−メチル−Ｎ`−ヒドロキシメチルシクロヘキシルアミン、４−アミノ−Ｎ−メチル−Ｎ`−ヒドロキシエチルシクロヘキシルアミン、４−ヒドロキシエチルアミノ−Ｎ−ヒドロキシメチルシクロヘキシルアミン、４−ヒドロキシエチルアミノ−Ｎ−ヒドロキシエチルシクロヘキシルアミン、４−ヒドロキシアミノアミノ−Ｎ，Ｎ−ジメチルシクロヘキシルアミン、４−ヒドロキシエチルアミノ−Ｎ，Ｎ−ジヒドロキシメチルシクロヘキシルアミン、４−ヒドロキシエチルアミノ−Ｎ，Ｎ−ジヒドロキシエチシクロヘキシルアミン、４−ヒドロキシエチルアミノ−Ｎ−メチル−Ｎ`−ヒドロキシメチルシクロヘキシルアミン、４−ヒドロキシエチルアミノ−Ｎ−メチル−Ｎ`−ヒドロキシエチルシクロヘキシルアミン
２−アミノピペリジンおよびその類似化合物として、２−Ｎ−メチルピベリジン、２−Ｎ−エチルピベリジン、２−Ｎ−プロピルピベリジン、２−Ｎ−イソプロピルピベリジン、２−Ｎ，Ｎ−ジメチルピベリジン、２−Ｎ，Ｎ−ジエチルピベリジン、２−Ｎ，Ｎ−ジプロピルピベリジン、２−Ｎ，Ｎ−ジイソプロピルピベリジン、２−Ｎ−ヒドロキシメチルピベリジン、２−Ｎ−ヒドロキシエチルピベリジン、２−Ｎ−ヒドロキシプロピルピベリジン、２−Ｎ，Ｎ−ジヒドロキシメチルピベリジン、２−Ｎ，Ｎ−ジヒドロキシエチルピベリジン、２−Ｎ，Ｎ−ジヒドロキシプロピルピベリジン、２−Ｎ−メチル−Ｎ‘−ヒドロキシメチルピベリジン、２−Ｎ−エチル−Ｎ’−ヒドロキシメチルピベリジン、２−Ｎ−プロピル−Ｎ‘−ヒドロキシメチルピベリジン、２−Ｎ−イソプロピルプロピル−Ｎ‘−ヒドロキシメチルピベリジン、
２−Ｎ−メチル−Ｎ‘−ヒドロキシエチルピベリジン、２−Ｎ−エチル−Ｎ’−ヒドロキシエチルピベリジン、２−Ｎ−プロピル−Ｎ‘−ヒドロキシエチルピベリジン、２−Ｎ−イソプロピルプロピル−Ｎ‘−ヒドロキシエチルピベリジン、２−Ｎ−メチル−Ｎ‘−ヒドロキシプロピルピベリジン、２−Ｎ−エチル−Ｎ’−ヒドロキシプロピルピベリジン、２−Ｎ−プロピル−Ｎ‘−ヒドロキシプロピルピベリジン、２−Ｎ−イソプロピルプロピル−Ｎ‘−ヒドロキシプロピルピベリジン、３−メチル−２−アミノピベリジン、３−メチル−２−Ｎ−メチルピベリジン、３−メチル−２−Ｎ−エチルピベリジン、３−メチル−２−Ｎ−プロピルピベリジン、３−メチル−Ｎ−イソプロピルピベリジン、４−メチル−２−Ｎ−メチルピベリジン、４−メチル−２−Ｎ−エチルピベリジン、４−メチル−２−Ｎ−プロピルピベリジン、４−メチル−Ｎ−イソプロピルピベリジン、５−メチル−２−Ｎ−メチルピベリジン、５−メチル−２−Ｎ−エチルピベリジン、５−メチル−２−Ｎ−プロピルピベリジン、５−メチル−Ｎ−イソプロピルピベリジン、６−メチル−２−Ｎ−メチルピベリジン、６−メチル−２−Ｎ−エチルピベリジン、６−メチル−２−Ｎ−プロピルピベリジン、６−メチル−Ｎ−イソプロピルピベリジン、３−メチル−２−Ｎ，Ｎ−ジメチルピベリジン、３−メチル−２−Ｎ，Ｎ−ジエチルピベリジン、３−メチル−２−Ｎ，Ｎ−ジプロピルピベリジン、３−メチル−２−Ｎ，Ｎ−ジイソプロピルピベリジン、４−メチル−２−Ｎ，Ｎ−ジメチルピベリジン、４−メチル−２−Ｎ，Ｎ−ジエチルピベリジン、４−メチル−２−Ｎ，Ｎ−ジプロピルピベリジン、４−メチル−２−Ｎ，Ｎ−ジイソプロピルピベリジン、５−メチル−２−Ｎ，Ｎ−ジメチルピベリジン、５−メチル−２−Ｎ，Ｎ−ジエチルピベリジン、５−メチル−２−Ｎ，Ｎ−ジプロピルピベリジン、５−メチル−２−Ｎ，Ｎ−ジイソプロピルピベリジン、６−メチル−２−Ｎ，Ｎ−ジメチルピベリジン、６−メチル−２−Ｎ，Ｎ−ジエチルピベリジン、６−メチル−２−Ｎ，Ｎ−ジプロピルピベリジン、６−メチル−２−Ｎ，Ｎ−ジイソプロピルピベリジン、３−メチル−２−Ｎ−ヒドロキシメチルピベリジン、３−メチル−２−Ｎ−ヒドロキシエチルピベリジン、３−メチル−２−Ｎ−ヒドロキシプロピルピベリジン、４−メチル−２−Ｎ−ヒドロキシメチルピベリジン、４−メチル−２−Ｎ−ヒドロキシエチルピベリジン、４−メチル−２−Ｎ−ヒドロキシプロピルピベリジン、５−メチル−２−Ｎ−ヒドロキシメチルピベリジン、５−メチル−２−Ｎ−ヒドロキシエチルピベリジン、５−メチル−２−Ｎ−ヒドロキシプロピルピベリジン、６−メチル−２−Ｎ−ヒドロキシメチルピベリジン、６−メチル−２−Ｎ−ヒドロキシエチルピベリジン、６−メチル−２−Ｎ−ヒドロキシプロピルピベリジン、３−メチル−２−Ｎ−メチル−Ｎ‘−ヒドロキシメチルピベリジン、３−メチル−２−Ｎ−エチル−Ｎ’−ヒドロキシメチルピベリジン、３−メチル−２−Ｎ−プロピル−Ｎ‘−ヒドロキシメチルピベリジン、３−メチル−２−Ｎ−イソプロピルプロピル−Ｎ‘−ヒドロキシメチルピベリジン、４−メチル−２−Ｎ−メチル−Ｎ‘−ヒドロキシメチルピベリジン、４−メチル−２−Ｎ−エチル−Ｎ’−ヒドロキシメチルピベリジン、４−メチル−２−Ｎ−プロピル−Ｎ‘−ヒドロキシメチルピベリジン、４−メチル−２−Ｎ−イソプロピルプロピル−Ｎ‘−ヒドロキシメチルピベリジン、５−メチル−２−Ｎ−メチル−Ｎ‘−ヒドロキシメチルピベリジン、５−メチル−２−Ｎ−エチル−Ｎ’−ヒドロキシメチルピベリジン、５−メチル−２−Ｎ−プロピル−Ｎ‘−ヒドロキシメチルピベリジン、５−メチル−２−Ｎ−イソプロピルプロピル−Ｎ‘−ヒドロキシメチルピベリジン、６−メチル−２−Ｎ−メチル−Ｎ‘−ヒドロキシメチルピベリジン、６−メチル−２−Ｎ−エチル−Ｎ’−ヒドロキシメチルピベリジン、６−メチル−２−Ｎ−プロピル−Ｎ‘−ヒドロキシメチルピベリジン、６−メチル−２−Ｎ−イソプロピルプロピル−Ｎ‘−ヒドロキシメチルピベリジン、３−メチル−２−Ｎ−メチル−Ｎ‘−ヒドロキシエチルピベリジン、３−メチル−２−Ｎ−エチル−Ｎ’−ヒドロキシエチルピベリジン、３−メチル−２−Ｎ−プロピル−Ｎ‘−ヒドロキシエチルピベリジン、３−メチル−２−Ｎ−イソプロピルプロピル−Ｎ‘−ヒドロキシエチルピベリジン、４−メチル−２−Ｎ−メチル−Ｎ‘−ヒドロキシエチルピベリジン、４−メチル−２−Ｎ−エチル−Ｎ’−ヒドロキシエチルピベリジン、４−メチル−２−Ｎ−プロピル−Ｎ‘−ヒドロキシエチルピベリジン、４−メチル−２−Ｎ−イソプロピルプロピル−Ｎ‘−ヒドロキシエチルピベリジン、５−メチル−２−Ｎ−メチル−Ｎ‘−ヒドロキシエチルピベリジン、５−メチル−２−Ｎ−エチル−Ｎ’−ヒドロキシエチルピベリジン、５−メチル−２−Ｎ−プロピル−Ｎ‘−ヒドロキシエチルピベリジン、５−メチル−２−Ｎ−イソプロピルプロピル−Ｎ‘−ヒドロキシエチルピベリジン、６−メチル−２−Ｎ−メチル−Ｎ‘−ヒドロキシエチルピベリジン、６−メチル−２−Ｎ−エチル−Ｎ’−ヒドロキシエチルピベリジン、６−メチル−２−Ｎ−プロピル−Ｎ‘−ヒドロキシエチルピベリジン、６−メチル−２−Ｎ−イソプロピルプロピル−Ｎ‘−ヒドロキシエチルピベリジン、３−メチル−２−Ｎ−メチル−Ｎ‘−ヒドロキシプロピルピベリジン、３−メチル−２−Ｎ−エチル−Ｎ’−ヒドロキシプロピルピベリジン、３−メチル−２−Ｎ−プロピル−Ｎ‘−ヒドロキシプロピルピベリジン、３−メチル−２−Ｎ−イソプロピル−Ｎ‘−ヒドロキシプロピルピベリジン、４−メチル−２−Ｎ−メチル−Ｎ‘−ヒドロキシプロピルピベリジン、４−メチル−２−Ｎ−エチル−Ｎ’−ヒドロキシプロピルピベリジン、４−メチル−２−Ｎ−プロピル−Ｎ‘−ヒドロキシプロピルピベリジン、４−メチル−２−Ｎ−イソプロピルプロピル−Ｎ‘−ヒドロキシプロピルピベリジン、５−メチル−２−Ｎ−メチル−Ｎ‘−ヒドロキシプロピルピベリジン、５−メチル−２−Ｎ−エチル−Ｎ’−ヒドロキシプロピルピベリジン、５−メチル−２−Ｎ−プロピル−Ｎ‘−ヒドロキシプロピルピベリジン、５−メチル−２−Ｎ−イソプロピルプロピル−Ｎ‘−ヒドロキシプロピルピベリジン、５−メチル−２−Ｎ−メチル−Ｎ‘−ヒドロキシプロピルピベリジン、５−メチル−２−Ｎ−エチル−Ｎ’−ヒドロキシプロピルピベリジン、５−メチル−２−Ｎ−プロピル−Ｎ‘−ヒドロキシプロピルピベリジン、５−メチル−２−Ｎ−イソプロピルプロピル−Ｎ‘−ヒドロキシプロピルピベリジン、６−メチル−２−Ｎ−メチル−Ｎ‘−ヒドロキシプロピルピベリジン、６−メチル−２−Ｎ−エチル−Ｎ’−ヒドロキシプロピルピベリジン、６−メチル−２−Ｎ−プロピル−Ｎ‘−ヒドロキシプロピルピベリジン、６−メチル−２−Ｎ−イソプロピルプロピル−Ｎ‘−ヒドロキシプロピルピベリジン、３−エチル−２−Ｎ−メチル−Ｎ‘−ヒドロキシプロピルピベリジン、３−エチル−２−Ｎ−エチル−Ｎ’−ヒドロキシプロピルピベリジン、３−エチル−２−Ｎ−プロピル−Ｎ‘−ヒドロキシプロピルピベリジン、３−エチル−２−Ｎ−イソプロピル−Ｎ‘−ヒドロキシプロピルピベリジン、４−エチル−２−Ｎ−メチル−Ｎ‘−ヒドロキシプロピルピベリジン、４−エチル−２−Ｎ−エチル−Ｎ’−ヒドロキシプロピルピベリジン、４−エチル−２−Ｎ−プロピル−Ｎ‘−ヒドロキシプロピルピベリジン、４−エチル−２−Ｎ−イソプロピル−Ｎ‘−ヒドロキシプロピルピベリジン、５−エチル−２−Ｎ−メチル−Ｎ‘−ヒドロキシプロピルピベリジン、５−エチル−２−Ｎ−エチル−Ｎ’−ヒドロキシプロピルピベリジン、５−エチル−２−Ｎ−プロピル−Ｎ‘−ヒドロキシプロピルピベリジン、５−エチル−２−Ｎ−イソプロピル−Ｎ‘−ヒドロキシプロピルピベリジン、６−エチル−２−Ｎ−メチル−Ｎ‘−ヒドロキシプロピルピベリジン、６−エチル−２−Ｎ−エチル−Ｎ’−ヒドロキシプロピルピベリジン、６−エチル−２−Ｎ−プロピル−Ｎ‘−ヒドロキシプロピルピベリジン、６−エチル−２−Ｎ−イソプロピル−Ｎ‘−ヒドロキシプロピルピベリジン、３−プロピル−２−Ｎ−メチル−Ｎ‘−ヒドロキシプロピルピベリジン、３−プロピル−２−Ｎ−エチル−Ｎ’−ヒドロキシプロピルピベリジン、３−プロピル−２−Ｎ−プロピル−Ｎ‘−ヒドロキシプロピルピベリジン、３−プロピル−２−Ｎ−イソプロピル−Ｎ‘−ヒドロキシプロピルピベリジン、４−プロピル−２−Ｎ−メチル−Ｎ‘−ヒドロキシプロピルピベリジン、４−プロピル−２−Ｎ−エチル−Ｎ’−ヒドロキシプロピルピベリジン、４−プロピル−２−Ｎ−プロピル−Ｎ‘−ヒドロキシプロピルピベリジン、４−プロピル−２−Ｎ−イソプロピル−Ｎ‘−ヒドロキシプロピルピベリジン、５−プロピル−２−Ｎ−メチル−Ｎ‘−ヒドロキシプロピルピベリジン、５−プロピル−２−Ｎ−エチル−Ｎ’−ヒドロキシプロピルピベリジン、５−プロピル−２−Ｎ−プロピル−Ｎ‘−ヒドロキシプロピルピベリジン、５−プロピル−２−Ｎ−イソプロピル−Ｎ‘−ヒドロキシプロピルピベリジン、６−プロピル−２−Ｎ−メチル−Ｎ‘−ヒドロキシプロピルピベリジン、６−プロピル−２−Ｎ−エチル−Ｎ’−ヒドロキシプロピルピベリジン、６−プロピル−２−Ｎ−プロピル−Ｎ‘−ヒドロキシプロピルピベリジン、６−プロピル−２−Ｎ−イソプロピル−Ｎ‘−ヒドロキシプロピルピベリジン、３−イソプロピル−２−Ｎ−メチル−Ｎ‘−ヒドロキシプロピルピベリジン、３−イソプロピル−２−Ｎ−エチル−Ｎ’−ヒドロキシプロピルピベリジン、３−イソプロピル−２−Ｎ−プロピル−Ｎ‘−ヒドロキシプロピルピベリジン、３−イソプロピル−２−Ｎ−イソプロピル−Ｎ‘−ヒドロキシプロピルピベリジン、４−イソプロピル−２−Ｎ−メチル−Ｎ‘−ヒドロキシプロピルピベリジン、４−イソプロピル−２−Ｎ−エチル−Ｎ’−ヒドロキシプロピルピベリジン、４−イソプロピル−２−Ｎ−プロピル−Ｎ‘−ヒドロキシプロピルピベリジン、４−イソプロピル−２−Ｎ−イソプロピル−Ｎ‘−ヒドロキシプロピルピベリジン、５−イソプロピル−２−Ｎ−メチル−Ｎ‘−ヒドロキシプロピルピベリジン、５−イソプロピル−２−Ｎ−エチル−Ｎ’−ヒドロキシプロピルピベリジン、５−イソプロピル−２−Ｎ−プロピル−Ｎ‘−ヒドロキシプロピルピベリジン、５−イソプロピル−２−Ｎ−イソプロピル−Ｎ‘−ヒドロキシプロピルピベリジン、６−イソプロピル−２−Ｎ−メチル−Ｎ‘−ヒドロキシプロピルピベリジン、６−イソプロピル−２−Ｎ−エチル−Ｎ’−ヒドロキシプロピルピベリジン、６−イソプロピル−２−Ｎ−プロピル−Ｎ‘−ヒドロキシプロピルピベリジン、６−イソプロピル−２−Ｎ−イソプロピル−Ｎ‘−ヒドロキシプロピルピベリジン、２，３−アミノピペリジン、２，４−アミノピペリジン、２，５−アミノピペリジン、２，６−アミノピペリジン、
３−アミノ−２−Ｎ−メチルピベリジン、４−アミノ−２−Ｎ−メチルピベリジン、５−アミノ−２−Ｎ−メチルピベリジン、６−アミノ−２−Ｎ−メチルピベリジン、３−アミノ−２−Ｎ−エチルピベリジン、４−アミノ−２−Ｎ−エチルピベリジン、５−アミノ−２−Ｎ−エチルピベリジン、６−アミノ−２−Ｎ−エチルピベリジン、３−アミノ−２−Ｎ−プロピルピベリジン、４−アミノ−２−Ｎ−プロピルピベリジン、５−アミノ−２−Ｎ−プロピルピベリジン、６−アミノ−２−Ｎ−プロピルピベリジン、３−アミノ−２−Ｎ−イソプロピルピベリジン、４−アミノ−２−Ｎ−イソプロピルピベリジン、５−アミノ−２−Ｎ−イソプロピルピベリジン、６−アミノ−２−Ｎ−イソプロピルピベリジン、３−アミノ−２−Ｎ，Ｎ−ジメチルピベリジン、４−アミノ−２−Ｎ，Ｎ−ジメチルピベリジン、５−アミノ−２−Ｎ，Ｎ−ジメチルピベリジン、６−アミノ−２−Ｎ，Ｎ−ジメチルピベリジン、３−アミノ−２−Ｎ，Ｎ−ジエチルピベリジン、４−アミノ−２−Ｎ，Ｎ−ジエチルピベリジン、５−アミノ−２−Ｎ，Ｎ−ジエチルピベリジン、６−アミノ−２−Ｎ，Ｎ−ジエチルピベリジン、３−アミノ−２−Ｎ，Ｎ−ジプロピルピベリジン、４−アミノ−２−Ｎ，Ｎ−ジプロピルピベリジン、５−アミノ−２−Ｎ，Ｎ−ジプロピルピベリジン、６−アミノ−２−Ｎ，Ｎ−ジプロピルピベリジン、３−アミノ−２−Ｎ，Ｎ−ジイソプロピルピベリジン、４−アミノ−２−Ｎ，Ｎ−ジイソプロピルピベリジン、５−アミノ−２−Ｎ，Ｎ−ジイソプロピルピベリジン、６−アミノ−２−Ｎ，Ｎ−ジイソプロピルピベリジン、３−アミノ−２−Ｎ−ヒドロキシメチルピベリジン、４−アミノ−２−Ｎ−ヒドロキシメチルピベリジン、５−アミノ−２−Ｎ−ヒドロキシメチルピベリジン、６−アミノ−２−Ｎ−ヒドロキシメチルピベリジン、３−アミノ−２−Ｎ−ヒドロキシエチルピベリジン、４−アミノ−２−Ｎ−ヒドロキシエチルピベリジン、５−アミノ−２−Ｎ−ヒドロキシエチルピベリジン、６−アミノ−２−Ｎ−ヒドロキシエチルピベリジン、３−アミノ−２−Ｎ−ヒドロキシプロピルピベリジン、４−アミノ−２−Ｎ−ヒドロキシプロピルピベリジン、５−アミノ−２−Ｎ−ヒドロキシプロピルピベリジン、６−アミノ−２−Ｎ−ヒドロキシプロピルピベリジン、３−アミノ−２−Ｎ，Ｎ−ジヒドロキシメチルピベリジン、４−アミノ−２−Ｎ，Ｎ−ジヒドロキシメチルピベリジン、５−アミノ−２−Ｎ，Ｎ−ジヒドロキシメチルピベリジン、６−アミノ−２−Ｎ，Ｎ−ジヒドロキシメチルピベリジン、３−アミノ−２−Ｎ，Ｎ−ジヒドロキシエチルピベリジン、４−アミノ−２−Ｎ，Ｎ−ジヒドロキシエチルピベリジン、５−アミノ−２−Ｎ，Ｎ−ジヒドロキシエチルピベリジン、６−アミノ−２−Ｎ，Ｎ−ジヒドロキシエチルピベリジン、３−アミノ−２−Ｎ，Ｎ−ジヒドロキシプロピルピベリジン、４−アミノ−２−Ｎ，Ｎ−ジヒドロキシプロピルピベリジン、５−アミノ−２−Ｎ，Ｎ−ジヒドロキシプロピルピベリジン、６−アミノ−２−Ｎ，Ｎ−ジヒドロキシプロピルピベリジン、３−アミノ−２−Ｎ−メチル−Ｎ‘−ヒドロキシメチルピベリジン、４−アミノ−２−Ｎ−メチル−Ｎ‘−ヒドロキシメチルピベリジン、５−アミノ−２−Ｎ−メチル−Ｎ‘−ヒドロキシメチルピベリジン、６−アミノ−２−Ｎ−メチル−Ｎ‘−ヒドロキシメチルピベリジン、３−アミノ−２−Ｎ−エチル−Ｎ’−ヒドロキシメチルピベリジン、４−アミノ−２−Ｎ−エチル−Ｎ’−ヒドロキシメチルピベリジン、５−アミノ−２−Ｎ−エチル−Ｎ’−ヒドロキシメチルピベリジン、６−アミノ−２−Ｎ−エチル−Ｎ’−ヒドロキシメチルピベリジン、３−アミノ−２−Ｎ−プロピル−Ｎ‘−ヒドロキシメチルピベリジン、４−アミノ−２−Ｎ−プロピル−Ｎ‘−ヒドロキシメチルピベリジン、５−アミノ−２−Ｎ−プロピル−Ｎ‘−ヒドロキシメチルピベリジン、６−アミノ−２−Ｎ−プロピル−Ｎ‘−ヒドロキシメチルピベリジン、３−アミノ−２−Ｎ−イソプロピルプロピル−Ｎ‘−ヒドロキシメチルピベリジン、４−アミノ−２−Ｎ−イソプロピルプロピル−Ｎ‘−ヒドロキシメチルピベリジン、５−アミノ−２−Ｎ−イソプロピルプロピル−Ｎ‘−ヒドロキシメチルピベリジン、６−アミノ−２−Ｎ−イソプロピルプロピル−Ｎ‘−ヒドロキシメチルピベリジン、
３−アミノ−２−Ｎ−メチル−Ｎ‘−ヒドロキシエチルピベリジン、４−アミノ−２−Ｎ−メチル−Ｎ‘−ヒドロキシエチルピベリジン、５−アミノ−２−Ｎ−メチル−Ｎ‘−ヒドロキシエチルピベリジン、６−アミノ−２−Ｎ−メチル−Ｎ‘−ヒドロキシエチルピベリジン、３−アミノ−２−Ｎ−エチル−Ｎ’−ヒドロキシエチルピベリジン、４−アミノ−２−Ｎ−エチル−Ｎ’−ヒドロキシエチルピベリジン、５−アミノ−２−Ｎ−エチル−Ｎ’−ヒドロキシエチルピベリジン、６−アミノ−２−Ｎ−エチル−Ｎ’−ヒドロキシエチルピベリジン、３−アミノ−２−Ｎ−プロピル−Ｎ‘−ヒドロキシエチルピベリジン、４−アミノ−２−Ｎ−プロピル−Ｎ‘−ヒドロキシエチルピベリジン、５−アミノ−２−Ｎ−プロピル−Ｎ‘−ヒドロキシエチルピベリジン、６−アミノ−２−Ｎ−プロピル−Ｎ‘−ヒドロキシエチルピベリジン、３−アミノ−２−Ｎ−イソプロピルプロピル−Ｎ‘−ヒドロキシエチルピベリジン、４−アミノ−２−Ｎ−イソプロピルプロピル−Ｎ‘−ヒドロキシエチルピベリジン、５−アミノ−２−Ｎ−イソプロピルプロピル−Ｎ‘−ヒドロキシエチルピベリジン、６−アミノ−２−Ｎ−イソプロピルプロピル−Ｎ‘−ヒドロキシエチルピベリジン、３−アミノ−２−Ｎ−メチル−Ｎ‘−ヒドロキシプロピルピベリジン、４−アミノ−２−Ｎ−メチル−Ｎ‘−ヒドロキシプロピルピベリジン、５−アミノ−２−Ｎ−メチル−Ｎ‘−ヒドロキシプロピルピベリジン、６−アミノ−２−Ｎ−メチル−Ｎ‘−ヒドロキシプロピルピベリジン、３−アミノ−２−Ｎ−エチル−Ｎ’−ヒドロキシプロピルピベリジン、４−アミノ−２−Ｎ−エチル−Ｎ’−ヒドロキシプロピルピベリジン、５−アミノ−２−Ｎ−エチル−Ｎ’−ヒドロキシプロピルピベリジン、６−アミノ−２−Ｎ−エチル−Ｎ’−ヒドロキシプロピルピベリジン、３−アミノ−２−Ｎ−プロピル−Ｎ‘−ヒドロキシプロピルピベリジン、４−アミノ−２−Ｎ−プロピル−Ｎ‘−ヒドロキシプロピルピベリジン、５−アミノ−２−Ｎ−プロピル−Ｎ‘−ヒドロキシプロピルピベリジン、６−アミノ−２−Ｎ−プロピル−Ｎ‘−ヒドロキシプロピルピベリジン、３−アミノ−２−Ｎ−イソプロピルプロピル−Ｎ‘−ヒドロキシプロピルピベリジン、４−アミノ−２−Ｎ−イソプロピルプロピル−Ｎ‘−ヒドロキシプロピルピベリジン、５−アミノ−２−Ｎ−イソプロピルプロピル−Ｎ‘−ヒドロキシプロピルピベリジン、６−アミノ−２−Ｎ−イソプロピルプロピル−Ｎ‘−ヒドロキシプロピルピベリジン、２−アミノ−３−ヒドロキシエチルアミノピペリジン、２−アミノ−４−ヒドロキシエチルアミノピペリジン、２−アミノ−５−ヒドロキシエチルアミノピペリジン、２−アミノ−６−ヒドロキシアミノピペリジン、３−ヒドロキシエチルアミノ−２−Ｎ−メチルピベリジン、４−ヒドロキシエチルアミノ−２−Ｎ−メチルピベリジン、５−ヒドロキシエチルアミノ−２−Ｎ−メチルピベリジン、６−ヒドロキシエチルアミノ−２−Ｎ−メチルピベリジン、３−ヒドロキシエチルアミノ−２−Ｎ−エチルピベリジン、４−ヒドロキシエチルアミノ−２−Ｎ−エチルピベリジン、５−ヒドロキシエチルアミノ−２−Ｎ−エチルピベリジン、６−ヒドロキシエチルアミノ−２−Ｎ−エチルピベリジン、３−ヒドロキシエチルアミノ−２−Ｎ−プロピルピベリジン、４−ヒドロキシエチルアミノ−２−Ｎ−プロピルピベリジン、５−ヒドロキシエチルアミノ−２−Ｎ−プロピルピベリジン、６−ヒドロキシエチルアミノ−２−Ｎ−プロピルピベリジン、３−ヒドロキシエチルアミノ−２−Ｎ−イソプロピルピベリジン、４−ヒドロキシエチルアミノ−２−Ｎ−イソプロピルピベリジン、５−ヒドロキシエチルアミノ−２−Ｎ−イソプロピルピベリジン、６−ヒドロキシエチルアミノ−２−Ｎ−イソプロピルピベリジン、３−ヒドロキシアミノ−２−Ｎ，Ｎ−ジメチルピベリジン、４−ヒドロキシエチルエチルアミノ−２−Ｎ，Ｎ−ジメチルピベリジン、５−ヒドロキシエチルアミノ−２−Ｎ，Ｎ−ジメチルピベリジン、６−ヒドロキシエチルアミノ−２−Ｎ，Ｎ−ジメチルピベリジン、３−ヒドロキシエチルアミノ−２−Ｎ，Ｎ−ジエチルピベリジン、４−ヒドロキシエチルアミノ−２−Ｎ，Ｎ−ジエチルピベリジン、５−ヒドロキシエチルアミノ−２−Ｎ，Ｎ−ジエチルピベリジン、６−ヒドロキシエチルアミノ−２−Ｎ，Ｎ−ジエチルピベリジン、３−ヒドロキシエチルアミノ−２−Ｎ，Ｎ−ジプロピルピベリジン、４−ヒドロキシエチルアミノ−２−Ｎ，Ｎ−ジプロピルピベリジン、５−ヒドロキシエチルアミノ−２−Ｎ，Ｎ−ジプロピルピベリジン、６−ヒドロキシエチルアミノ−２−Ｎ，Ｎ−ジプロピルピベリジン、３−ヒドロキシエチルアミノ−２−Ｎ，Ｎ−ジイソプロピルピベリジン、４−ヒドロキシエチルアミノ−２−Ｎ，Ｎ−ジイソプロピルピベリジン、５−ヒドロキシエチルアミノ−２−Ｎ，Ｎ−ジイソプロピルピベリジン、６−ヒドロキシエチルアミノ−２−Ｎ，Ｎ−ジイソプロピルピベリジン、３−ヒドロキシエチルアミノ−２−Ｎ−ヒドロキシメチルピベリジン、４−ヒドロキシエチルアミノ−２−Ｎ−ヒドロキシメチルピベリジン、５−ヒドロキシエチルアミノ−２−Ｎ−ヒドロキシメチルピベリジン、６−ヒドロキシエチルアミノ−２−Ｎ−ヒドロキシメチルピベリジン、３−ヒドロキシエチルアミノ−２−Ｎ−ヒドロキシエチルピベリジン、４−ヒドロキシエチルアミノ−２−Ｎ−ヒドロキシエチルピベリジン、５−アミノ−２−Ｎ−ヒドロキシエチルピベリジン、６−ヒドロキシエチルアミノ−２−Ｎ−ヒドロキシエチルピベリジン、３−ヒドロキシエチルアミノ−２−Ｎ−ヒドロキシプロピルピベリジン、４−アミノ−２−Ｎ−ヒドロキシプロピルピベリジン、５−ヒドロキシエチルアミノ−２−Ｎ−ヒドロキシプロピルピベリジン、６−ヒドロキシエチルアミノ−２−Ｎ−ヒドロキシプロピルピベリジン、３−ヒドロキシエチルアミノ−２−Ｎ，Ｎ−ジヒドロキシメチルピベリジン、４−ヒドロキシエチルアミノ−２−Ｎ，Ｎ−ジヒドロキシメチルピベリジン、５−ヒドロキシエチルアミノ−２−Ｎ，Ｎ−ジヒドロキシメチルピベリジン、６−ヒドロキシエチルアミノ−２−Ｎ，Ｎ−ジヒドロキシメチルピベリジン、３−ヒドロキシエチルアミノ−２−Ｎ，Ｎ−ジヒドロキシエチルピベリジン、４−ヒドロキシエチルアミノ−２−Ｎ，Ｎ−ジヒドロキシエチルピベリジン、５−ヒドロキシエチルアミノ−２−Ｎ，Ｎ−ジヒドロキシエチルピベリジン、６−ヒドロキシエチルアミノ−２−Ｎ，Ｎ−ジヒドロキシエチルピベリジン、３−ヒドロキシエチルアミノ−２−Ｎ，Ｎ−ジヒドロキシプロピルピベリジン、４−ヒドロキシエチルアミノ−２−Ｎ，Ｎ−ジヒドロキシプロピルピベリジン、５−ヒドロキシエチルアミノ−２−Ｎ，Ｎ−ジヒドロキシプロピルピベリジン、６−ヒドロキシエチルアミノ−２−Ｎ，Ｎ−ジヒドロキシプロピルピベリジン、３−ヒドロキシエチルアミノ−２−Ｎ−メチル−Ｎ‘−ヒドロキシメチルピベリジン、４−ヒドロキシエチルアミノ−２−Ｎ−メチル−Ｎ‘−ヒドロキシメチルピベリジン、５−ヒドロキシエチルアミノ−２−Ｎ−メチル−Ｎ‘−ヒドロキシメチルピベリジン、６−ヒドロキシエチルアミノ−２−Ｎ−メチル−Ｎ‘−ヒドロキシメチルピベリジン、３−ヒドロキシエチルアミノ−２−Ｎ−エチル−Ｎ’−ヒドロキシメチルピベリジン、４−ヒドロキシエチルアミノ−２−Ｎ−エチル−Ｎ’−ヒドロキシメチルピベリジン、５−ヒドロキシエチルアミノ−２−Ｎ−エチル−Ｎ’−ヒドロキシメチルピベリジン、６−ヒドロキシエチルアミノ−２−Ｎ−エチル−Ｎ’−ヒドロキシメチルピベリジン、３−ヒドロキシエチルアミノ−２−Ｎ−プロピル−Ｎ‘−ヒドロキシメチルピベリジン、４−ヒドロキシエチルアミノ−２−Ｎ−プロピル−Ｎ‘−ヒドロキシメチルピベリジン、５−ヒドロキシエチルアミノ−２−Ｎ−プロピル−Ｎ‘−ヒドロキシメチルピベリジン、６−ヒドロキシエチルアミノ−２−Ｎ−プロピル−Ｎ‘−ヒドロキシメチルピベリジン、３−ヒドロキシエチルアミノ−２−Ｎ−イソプロピルプロピル−Ｎ‘−ヒドロキシメチルピベリジン、４−ヒドロキシエチルアミノ−２−Ｎ−イソプロピルプロピル−Ｎ‘−ヒドロキシメチルピベリジン、５−ヒドロキシエチルアミノ−２−Ｎ−イソプロピルプロピル−Ｎ‘−ヒドロキシメチルピベリジン、６−ヒドロキシエチルアミノ−２−Ｎ−イソプロピルプロピル−Ｎ‘−ヒドロキシメチルピベリジン、３−ヒドロキシエチルアミノ−２−Ｎ−メチル−Ｎ‘−ヒドロキシエチルピベリジン、４−ヒドロキシエチルアミノ−２−Ｎ−メチル−Ｎ‘−ヒドロキシエチルピベリジン、５−ヒドロキシエチルアミノ−２−Ｎ−メチル−Ｎ‘−ヒドロキシエチルピベリジン、６−ヒドロキシエチルアミノ−２−Ｎ−メチル−Ｎ‘−ヒドロキシエチルピベリジン、３−ヒドロキシエチルアミノ−２−Ｎ−エチル−Ｎ’−ヒドロキシエチルピベリジン、４−ヒドロキシエチルアミノ−２−Ｎ−エチル−Ｎ’−ヒドロキシエチルピベリジン、５−ヒドロキシエチルアミノ−２−Ｎ−エチル−Ｎ’−ヒドロキシエチルピベリジン、６−ヒドロキシエチルアミノ−２−Ｎ−エチル−Ｎ’−ヒドロキシエチルピベリジン、３−ヒドロキシエチルアミノ−２−Ｎ−プロピル−Ｎ‘−ヒドロキシエチルピベリジン、４−ヒドロキシエチルアミノ−２−Ｎ−プロピル−Ｎ‘−ヒドロキシエチルピベリジン、５−ヒドロキシエチルアミノ−２−Ｎ−プロピル−Ｎ‘−ヒドロキシエチルピベリジン、６−ヒドロキシエチルアミノ−２−Ｎ−プロピル−Ｎ‘−ヒドロキシエチルピベリジン、３−ヒドロキシエチルアミノ−２−Ｎ−イソプロピルプロピル−Ｎ‘−ヒドロキシエチルピベリジン、４−ヒドロキシエチルアミノ−２−Ｎ−イソプロピルプロピル−Ｎ‘−ヒドロキシエチルピベリジン、５−ヒドロキシエチルアミノ−２−Ｎ−イソプロピルプロピル−Ｎ‘−ヒドロキシエチルピベリジン、６−ヒドロキシエチルアミノ−２−Ｎ−イソプロピルプロピル−Ｎ‘−ヒドロキシエチルピベリジン、３−ヒドロキシエチルアミノ−２−Ｎ−メチル−Ｎ‘−ヒドロキシプロピルピベリジン、４−ヒドロキシエチルアミノ−２−Ｎ−メチル−Ｎ‘−ヒドロキシプロピルピベリジン、５−ヒドロキシエチルアミノ−２−Ｎ−メチル−Ｎ‘−ヒドロキシプロピルピベリジン、６−ヒドロキシエチルアミノ−２−Ｎ−メチル−Ｎ‘−ヒドロキシプロピルピベリジン、３−ヒドロキシエチルアミノ−２−Ｎ−エチル−Ｎ’−ヒドロキシプロピルピベリジン、４−ヒドロキシエチルアミノ−２−Ｎ−エチル−Ｎ’−ヒドロキシプロピルピベリジン、５−ヒドロキシエチルアミノ−２−Ｎ−エチル−Ｎ’−ヒドロキシプロピルピベリジン、６−ヒドロキシエチルアミノ−２−Ｎ−エチル−Ｎ’−ヒドロキシプロピルピベリジン、３−ヒドロキシエチルアミノ−２−Ｎ−プロピル−Ｎ‘−ヒドロキシプロピルピベリジン、４−ヒドロキシエチルアミノ−２−Ｎ−プロピル−Ｎ‘−ヒドロキシプロピルピベリジン、５−ヒドロキシエチルアミノ−２−Ｎ−プロピル−Ｎ‘−ヒドロキシプロピルピベリジン、６−ヒドロキシエチルアミノ−２−Ｎ−プロピル−Ｎ‘−ヒドロキシプロピルピベリジン、３−ヒドロキシエチルアミノ−２−Ｎ−イソプロピルプロピル−Ｎ‘−ヒドロキシプロピルピベリジン、４−ヒドロキシエチルアミノ−２−Ｎ−イソプロピルプロピル−Ｎ‘−ヒドロキシプロピルピベリジン、５−ヒドロキシエチルアミノ−２−Ｎ−イソプロピルプロピル−Ｎ‘−ヒドロキシプロピルピベリジン、６−ヒドロキシエチルアミノ−２−Ｎ−イソプロピルプロピル−Ｎ‘−ヒドロキシプロピルピベリジン、
３−アミノピペリジンおよびその類似化合物として、３−Ｎ−メチルピベリジン、３−Ｎ−エチルピベリジン、３−Ｎ−プロピルピベリジン、３−Ｎ−イソプロピルピベリジン、３−Ｎ，Ｎ−ジメチルピベリジン、３−Ｎ，Ｎ−ジエチルピベリジン、３−Ｎ，Ｎ−ジプロピルピベリジン、３−Ｎ，Ｎ−ジイソプロピルピベリジン、３−Ｎ−ヒドロキシメチルピベリジン、３−Ｎ−ヒドロキシエチルピベリジン、３−Ｎ−ヒドロキシプロピルピベリジン、３−Ｎ，Ｎ−ジヒドロキシメチルピベリジン、３−Ｎ，Ｎ−ジヒドロキシエチルピベリジン、３−Ｎ，Ｎ−ジヒドロキシプロピルピベリジン、３−Ｎ−メチル−Ｎ‘−ヒドロキシメチルピベリジン、３−Ｎ−エチル−Ｎ’−ヒドロキシメチルピベリジン、３−Ｎ−プロピル−Ｎ‘−ヒドロキシメチルピベリジン、３−Ｎ−イソプロピルプロピル−Ｎ‘−ヒドロキシメチルピベリジン、
３−Ｎ−メチル−Ｎ‘−ヒドロキシエチルピベリジン、３−Ｎ−エチル−Ｎ’−ヒドロキシエチルピベリジン、３−Ｎ−プロピル−Ｎ‘−ヒドロキシエチルピベリジン、３−イソプロピルプロピル−Ｎ‘−ヒドロキシエチルピベリジン、３−Ｎ−メチル−Ｎ‘−ヒドロキシプロピルピベリジン、３−Ｎ−エチル−Ｎ’−ヒドロキシプロピルピベリジン、３−Ｎ−プロピル−Ｎ‘−ヒドロキシプロピルピベリジン、３−Ｎ−イソプロピルプロピル−Ｎ‘−ヒドロキシプロピルピベリジン、２−メチル−３−アミノピベリジン、２−メチル−３−Ｎ−メチルピベリジン、２−メチル−３−Ｎ−エチルピベリジン、２−メチル−３−Ｎ−プロピルピベリジン、２−メチル−３−Ｎ−イソプロピルピベリジン、４−メチル−３−Ｎ−メチルピベリジン、４−メチル−３−Ｎ−エチルピベリジン、４−メチル−３−Ｎ−プロピルピベリジン、４−メチル−３−Ｎ−イソプロピルピベリジン、５−メチル−３−Ｎ−メチルピベリジン、５−メチル−３−Ｎ−エチルピベリジン、５−メチル−３−Ｎ−プロピルピベリジン、５−メチル−３−Ｎ−イソプロピルピベリジン、６−メチル−３−Ｎ−メチルピベリジン、６−メチル−３−Ｎ−エチルピベリジン、６−メチル−３−Ｎ−プロピルピベリジン、６−メチル−３−Ｎ−イソプロピルピベリジン、２−メチル−３−Ｎ，Ｎ−ジメチルピベリジン、２−メチル−３−Ｎ，Ｎ−ジエチルピベリジン、２−メチル−３−Ｎ，Ｎ−ジプロピルピベリジン、４−メチル−３−Ｎ，Ｎ−ジイソプロピルピベリジン、４−メチル−３−Ｎ，Ｎ−ジメチルピベリジン、４−メチル−３−Ｎ，Ｎ−ジエチルピベリジン、４−メチル−３−Ｎ，Ｎ−ジプロピルピベリジン、４−メチル−３−Ｎ，Ｎ−ジイソプロピルピベリジン、５−メチル−３−Ｎ，Ｎ−ジメチルピベリジン、５−メチル−３−Ｎ，Ｎ−ジエチルピベリジン、５−メチル−３−Ｎ，Ｎ−ジプロピルピベリジン、５−メチル−３−Ｎ，Ｎ−ジイソプロピルピベリジン、６−メチル−３−Ｎ，Ｎ−ジメチルピベリジン、６−メチル−３−Ｎ，Ｎ−ジエチルピベリジン、６−メチル−３−Ｎ，Ｎ−ジプロピルピベリジン、６−メチル−３−Ｎ，Ｎ−ジイソプロピルピベリジン、２−メチル−３−Ｎ−ヒドロキシメチルピベリジン、２−メチル−３−Ｎ−ヒドロキシエチルピベリジン、２−メチル−３−Ｎ−ヒドロキシプロピルピベリジン、４−メチル−３−Ｎ−ヒドロキシメチルピベリジン、４−メチル−３−Ｎ−ヒドロキシエチルピベリジン、４−メチル−３−Ｎ−ヒドロキシプロピルピベリジン、５−メチル−３−Ｎ−ヒドロキシメチルピベリジン、５−メチル−３−Ｎ−ヒドロキシエチルピベリジン、５−メチル−３−Ｎ−ヒドロキシプロピルピベリジン、６−メチル−３−Ｎ−ヒドロキシメチルピベリジン、６−メチル−３−Ｎ−ヒドロキシエチルピベリジン、６−メチル−３−Ｎ−ヒドロキシプロピルピベリジン、２−メチル−３−Ｎ−メチル−Ｎ‘−ヒドロキシメチルピベリジン、２−メチル−３−Ｎ−エチル−Ｎ’−ヒドロキシメチルピベリジン、２−メチル−３−Ｎ−プロピル−Ｎ‘−ヒドロキシメチルピベリジン、２−メチル−３−Ｎ−イソプロピルプロピル−Ｎ‘−ヒドロキシメチルピベリジン、４−メチル−３−Ｎ−メチル−Ｎ‘−ヒドロキシメチルピベリジン、４−メチル−３−Ｎ−エチル−Ｎ’−ヒドロキシメチルピベリジン、４−メチル−３−Ｎ−プロピル−Ｎ‘−ヒドロキシメチルピベリジン、４−メチル−３−Ｎ−イソプロピルプロピル−Ｎ‘−ヒドロキシメチルピベリジン、５−メチル−３−Ｎ−メチル−Ｎ‘−ヒドロキシメチルピベリジン、５−メチル−３−Ｎ−エチル−Ｎ’−ヒドロキシメチルピベリジン、５−メチル−３−Ｎ−プロピル−Ｎ‘−ヒドロキシメチルピベリジン、５−メチル−３−Ｎ−イソプロピルプロピル−Ｎ‘−ヒドロキシメチルピベリジン、６−メチル−３−Ｎ−メチル−Ｎ‘−ヒドロキシメチルピベリジン、６−メチル−３−Ｎ−エチル−Ｎ’−ヒドロキシメチルピベリジン、６−メチル−３−Ｎ−プロピル−Ｎ‘−ヒドロキシメチルピベリジン、６−メチル−３−Ｎ−イソプロピルプロピル−Ｎ‘−ヒドロキシメチルピベリジン、２−メチル−３−Ｎ−メチル−Ｎ‘−ヒドロキシエチルピベリジン、２−メチル−３−Ｎ−エチル−Ｎ’−ヒドロキシエチルピベリジン、２−メチル−３−Ｎ−プロピル−Ｎ‘−ヒドロキシエチルピベリジン、２−メチル−３−Ｎ−イソプロピルプロピル−Ｎ‘−ヒドロキシエチルピベリジン、４−メチル−３−Ｎ−メチル−Ｎ‘−ヒドロキシエチルピベリジン、４−メチル−３−Ｎ−エチル−Ｎ’−ヒドロキシエチルピベリジン、４−メチル−３−Ｎ−プロピル−Ｎ‘−ヒドロキシエチルピベリジン、４−メチル−３−Ｎ−イソプロピルプロピル−Ｎ‘−ヒドロキシエチルピベリジン、５−メチル−３−Ｎ−メチル−Ｎ‘−ヒドロキシエチルピベリジン、５−メチル−３−Ｎ−エチル−Ｎ’−ヒドロキシエチルピベリジン、５−メチル−３−Ｎ−プロピル−Ｎ‘−ヒドロキシエチルピベリジン、５−メチル−３−Ｎ−イソプロピルプロピル−Ｎ‘−ヒドロキシエチルピベリジン、６−メチル−３−Ｎ−メチル−Ｎ‘−ヒドロキシエチルピベリジン、６−メチル−３−Ｎ−エチル−Ｎ’−ヒドロキシエチルピベリジン、６−メチル−３−Ｎ−プロピル−Ｎ‘−ヒドロキシエチルピベリジン、６−メチル−３−Ｎ−イソプロピルプロピル−Ｎ‘−ヒドロキシエチルピベリジン、２−メチル−３−Ｎ−メチル−Ｎ‘−ヒドロキシプロピルピベリジン、２−メチル−３−Ｎ−エチル−Ｎ’−ヒドロキシプロピルピベリジン、２−メチル−３−Ｎ−プロピル−Ｎ‘−ヒドロキシプロピルピベリジン、２−メチル−３−Ｎ−イソプロピル−Ｎ‘−ヒドロキシプロピルピベリジン、４−メチル−３−Ｎ−メチル−Ｎ‘−ヒドロキシプロピルピベリジン、４−メチル−３−Ｎ−エチル−Ｎ’−ヒドロキシプロピルピベリジン、４−メチル−３−Ｎ−プロピル−Ｎ‘−ヒドロキシプロピルピベリジン、４−メチル−３−Ｎ−イソプロピルプロピル−Ｎ‘−ヒドロキシプロピルピベリジン、５−メチル−３−Ｎ−メチル−Ｎ‘−ヒドロキシプロピルピベリジン、５−メチル−３−Ｎ−エチル−Ｎ’−ヒドロキシプロピルピベリジン、５−メチル−３−Ｎ−プロピル−Ｎ‘−ヒドロキシプロピルピベリジン、５−メチル−３−Ｎ−イソプロピルプロピル−Ｎ‘−ヒドロキシプロピルピベリジン、５−メチル−３−Ｎ−メチル−Ｎ‘−ヒドロキシプロピルピベリジン、５−メチル−３−Ｎ−エチル−Ｎ’−ヒドロキシプロピルピベリジン、５−メチル−３−Ｎ−プロピル−Ｎ‘−ヒドロキシプロピルピベリジン、５−メチル−３−Ｎ−イソプロピルプロピル−Ｎ‘−ヒドロキシプロピルピベリジン、６−メチル−３−Ｎ−メチル−Ｎ‘−ヒドロキシプロピルピベリジン、６−メチル−３−Ｎ−エチル−Ｎ’−ヒドロキシプロピルピベリジン、６−メチル−３−Ｎ−プロピル−Ｎ‘−ヒドロキシプロピルピベリジン、６−メチル−３−Ｎ−イソプロピルプロピル−Ｎ‘−ヒドロキシプロピルピベリジン、２−エチル−３−Ｎ−メチル−Ｎ‘−ヒドロキシプロピルピベリジン、２−エチル−３−Ｎ−エチル−Ｎ’−ヒドロキシプロピルピベリジン、２−エチル−３−Ｎ−プロピル−Ｎ‘−ヒドロキシプロピルピベリジン、２−エチル−３−Ｎ−イソプロピル−Ｎ‘−ヒドロキシプロピルピベリジン、４−エチル−３−Ｎ−メチル−Ｎ‘−ヒドロキシプロピルピベリジン、４−エチル−３−Ｎ−エチル−Ｎ’−ヒドロキシプロピルピベリジン、４−エチル−３−Ｎ−プロピル−Ｎ‘−ヒドロキシプロピルピベリジン、４−エチル−３−Ｎ−イソプロピル−Ｎ‘−ヒドロキシプロピルピベリジン、５−エチル−３−Ｎ−メチル−Ｎ‘−ヒドロキシプロピルピベリジン、５−エチル−３−Ｎ−エチル−Ｎ’−ヒドロキシプロピルピベリジン、５−エチル−３−Ｎ−プロピル−Ｎ‘−ヒドロキシプロピルピベリジン、５−エチル−３−Ｎ−イソプロピル−Ｎ‘−ヒドロキシプロピルピベリジン、６−エチル−３−Ｎ−メチル−Ｎ‘−ヒドロキシプロピルピベリジン、６−エチル−３−Ｎ−エチル−Ｎ’−ヒドロキシプロピルピベリジン、６−エチル−３−Ｎ−プロピル−Ｎ‘−ヒドロキシプロピルピベリジン、６−エチル−３−Ｎ−イソプロピル−Ｎ‘−ヒドロキシプロピルピベリジン、３−プロピル−３−Ｎ−メチル−Ｎ‘−ヒドロキシプロピルピベリジン、２−プロピル−３−Ｎ−エチル−Ｎ’−ヒドロキシプロピルピベリジン、２−プロピル−３−Ｎ−プロピル−Ｎ‘−ヒドロキシプロピルピベリジン、２−プロピル−３−Ｎ−イソプロピル−Ｎ‘−ヒドロキシプロピルピベリジン、４−プロピル−３−Ｎ−メチル−Ｎ‘−ヒドロキシプロピルピベリジン、４−プロピル−３−Ｎ−エチル−Ｎ’−ヒドロキシプロピルピベリジン、４−プロピル−３−Ｎ−プロピル−Ｎ‘−ヒドロキシプロピルピベリジン、４−プロピル−２−Ｎ−イソプロピル−Ｎ‘−ヒドロキシプロピルピベリジン、５−プロピル−３−Ｎ−メチル−Ｎ‘−ヒドロキシプロピルピベリジン、５−プロピル−３−Ｎ−エチル−Ｎ’−ヒドロキシプロピルピベリジン、５−プロピル−３−Ｎ−プロピル−Ｎ‘−ヒドロキシプロピルピベリジン、５−プロピル−３−Ｎ−イソプロピル−Ｎ‘−ヒドロキシプロピルピベリジン、６−プロピル−３−Ｎ−メチル−Ｎ‘−ヒドロキシプロピルピベリジン、６−プロピル−３−Ｎ−エチル−Ｎ’−ヒドロキシプロピルピベリジン、６−プロピル−３−Ｎ−プロピル−Ｎ‘−ヒドロキシプロピルピベリジン、６−プロピル−３−Ｎ−イソプロピル−Ｎ‘−ヒドロキシプロピルピベリジン、２−イソプロピル−３−Ｎ−メチル−Ｎ‘−ヒドロキシプロピルピベリジン、２−イソプロピル−３−Ｎ−エチル−Ｎ’−ヒドロキシプロピルピベリジン、２−イソプロピル−３−Ｎ−プロピル−Ｎ‘−ヒドロキシプロピルピベリジン、２−イソプロピル−３−Ｎ−イソプロピル−Ｎ‘−ヒドロキシプロピルピベリジン、４−イソプロピル−３−Ｎ−メチル−Ｎ‘−ヒドロキシプロピルピベリジン、４−イソプロピル−３−Ｎ−エチル−Ｎ’−ヒドロキシプロピルピベリジン、４−イソプロピル−３−Ｎ−プロピル−Ｎ‘−ヒドロキシプロピルピベリジン、４−イソプロピル−３−Ｎ−イソプロピル−Ｎ‘−ヒドロキシプロピルピベリジン、５−イソプロピル−３−Ｎ−メチル−Ｎ‘−ヒドロキシプロピルピベリジン、５−イソプロピル−３−Ｎ−エチル−Ｎ’−ヒドロキシプロピルピベリジン、５−イソプロピル−３−Ｎ−プロピル−Ｎ‘−ヒドロキシプロピルピベリジン、５−イソプロピル−３−Ｎ−イソプロピル−Ｎ‘−ヒドロキシプロピルピベリジン、６−イソプロピル−３−Ｎ−メチル−Ｎ‘−ヒドロキシプロピルピベリジン、６−イソプロピル−３−Ｎ−エチル−Ｎ’−ヒドロキシプロピルピベリジン、６−イソプロピル−３−Ｎ−プロピル−Ｎ‘−ヒドロキシプロピルピベリジン、６−イソプロピル−３−Ｎ−イソプロピル−Ｎ‘−ヒドロキシプロピルピベリジン、３，４−アミノピペリジン、３，５−アミノピペリジン、４，６−アミノピペリジン、
２−アミノ−３−Ｎ−メチルピベリジン、４−アミノ−３−Ｎ−メチルピベリジン、５−アミノ−３−Ｎ−メチルピベリジン、６−アミノ−３−Ｎ−メチルピベリジン、２−アミノ−２−Ｎ−エチルピベリジン、４−アミノ−３−Ｎ−エチルピベリジン、５−アミノ−３−Ｎ−エチルピベリジン、６−アミノ−３−Ｎ−エチルピベリジン、２−アミノ−３−Ｎ−プロピルピベリジン、４−アミノ−３−Ｎ−プロピルピベリジン、５−アミノ−３−Ｎ−プロピルピベリジン、６−アミノ−３−Ｎ−プロピルピベリジン、３−アミノ−３−Ｎ−イソプロピルピベリジン、４−アミノ−３−Ｎ−イソプロピルピベリジン、５−アミノ−３−Ｎ−イソプロピルピベリジン、６−アミノ−３−Ｎ−イソプロピルピベリジン、３−アミノ−３−Ｎ，Ｎ−ジメチルピベリジン、４−アミノ−３−Ｎ，Ｎ−ジメチルピベリジン、５−アミノ−３−Ｎ，Ｎ−ジメチルピベリジン、６−アミノ−３−Ｎ，Ｎ−ジメチルピベリジン、２−アミノ−３−Ｎ，Ｎ−ジエチルピベリジン、４−アミノ−３−Ｎ，Ｎ−ジエチルピベリジン、５−アミノ−３−Ｎ，Ｎ−ジエチルピベリジン、６−アミノ−３−Ｎ，Ｎ−ジエチルピベリジン、２−アミノ−３−Ｎ，Ｎ−ジプロピルピベリジン、４−アミノ−３−Ｎ，Ｎ−ジプロピルピベリジン、５−アミノ−３−Ｎ，Ｎ−ジプロピルピベリジン、６−アミノ−３−Ｎ，Ｎ−ジプロピルピベリジン、２−アミノ−３−Ｎ，Ｎ−ジイソプロピルピベリジン、４−アミノ−３−Ｎ，Ｎ−ジイソプロピルピベリジン、５−アミノ−３−Ｎ，Ｎ−ジイソプロピルピベリジン、６−アミノ−３−Ｎ，Ｎ−ジイソプロピルピベリジン、２−アミノ−３−Ｎ−ヒドロキシメチルピベリジン、４−アミノ−３−Ｎ−ヒドロキシメチルピベリジン、５−アミノ−３−Ｎ−ヒドロキシメチルピベリジン、６−アミノ−２−Ｎ−ヒドロキシメチルピベリジン、２−アミノ−３−Ｎ−ヒドロキシエチルピベリジン、４−アミノ−３−Ｎ−ヒドロキシエチルピベリジン、５−アミノ−３−Ｎ−ヒドロキシエチルピベリジン、６−アミノ−３−Ｎ−ヒドロキシエチルピベリジン、２−アミノ−３−Ｎ−ヒドロキシプロピルピベリジン、４−アミノ−３−Ｎ−ヒドロキシプロピルピベリジン、５−アミノ−３−Ｎ−ヒドロキシプロピルピベリジン、６−アミノ−３−Ｎ−ヒドロキシプロピルピベリジン、２−アミノ−３−Ｎ，Ｎ−ジヒドロキシメチルピベリジン、４−アミノ−３−Ｎ，Ｎ−ジヒドロキシメチルピベリジン、５−アミノ−３−Ｎ，Ｎ−ジヒドロキシメチルピベリジン、６−アミノ−３−Ｎ，Ｎ−ジヒドロキシメチルピベリジン、２−アミノ−３−Ｎ，Ｎ−ジヒドロキシエチルピベリジン、４−アミノ−３−Ｎ，Ｎ−ジヒドロキシエチルピベリジン、５−アミノ−３−Ｎ，Ｎ−ジヒドロキシエチルピベリジン、６−アミノ−３−Ｎ，Ｎ−ジヒドロキシエチルピベリジン、２−アミノ−３−Ｎ，Ｎ−ジヒドロキシプロピルピベリジン、４−アミノ−３−Ｎ，Ｎ−ジヒドロキシプロピルピベリジン、５−アミノ−３−Ｎ，Ｎ−ジヒドロキシプロピルピベリジン、６−アミノ−３−Ｎ，Ｎ−ジヒドロキシプロピルピベリジン、２−アミノ−３−Ｎ−メチル−Ｎ‘−ヒドロキシメチルピベリジン、４−アミノ−３−Ｎ−メチル−Ｎ‘−ヒドロキシメチルピベリジン、５−アミノ−３−Ｎ−メチル−Ｎ‘−ヒドロキシメチルピベリジン、６−アミノ−３−Ｎ−メチル−Ｎ‘−ヒドロキシメチルピベリジン、２−アミノ−３−Ｎ−エチル−Ｎ’−ヒドロキシメチルピベリジン、４−アミノ−３−Ｎ−エチル−Ｎ’−ヒドロキシメチルピベリジン、５−アミノ−３−Ｎ−エチル−Ｎ’−ヒドロキシメチルピベリジン、６−アミノ−３−Ｎ−エチル−Ｎ’−ヒドロキシメチルピベリジン、２−アミノ−３−Ｎ−プロピル−Ｎ‘−ヒドロキシメチルピベリジン、４−アミノ−３−Ｎ−プロピル−Ｎ‘−ヒドロキシメチルピベリジン、５−アミノ−３−Ｎ−プロピル−Ｎ‘−ヒドロキシメチルピベリジン、６−アミノ−３−Ｎ−プロピル−Ｎ‘−ヒドロキシメチルピベリジン、２−アミノ−３−Ｎ−イソプロピルプロピル−Ｎ‘−ヒドロキシメチルピベリジン、４−アミノ−３−Ｎ−イソプロピルプロピル−Ｎ‘−ヒドロキシメチルピベリジン、５−アミノ−３−Ｎ−イソプロピルプロピル−Ｎ‘−ヒドロキシメチルピベリジン、６−アミノ−３−Ｎ−イソプロピルプロピル−Ｎ‘−ヒドロキシメチルピベリジン、
２−アミノ−３−Ｎ−メチル−Ｎ‘−ヒドロキシエチルピベリジン、４−アミノ−３−Ｎ−メチル−Ｎ‘−ヒドロキシエチルピベリジン、５−アミノ−３−Ｎ−メチル−Ｎ‘−ヒドロキシエチルピベリジン、６−アミノ−３−Ｎ−メチル−Ｎ‘−ヒドロキシエチルピベリジン、２−アミノ−３−Ｎ−エチル−Ｎ’−ヒドロキシエチルピベリジン、４−アミノ−３−Ｎ−エチル−Ｎ’−ヒドロキシエチルピベリジン、５−アミノ−３−Ｎ−エチル−Ｎ’−ヒドロキシエチルピベリジン、６−アミノ−３−Ｎ−エチル−Ｎ’−ヒドロキシエチルピベリジン、２−アミノ−３−Ｎ−プロピル−Ｎ‘−ヒドロキシエチルピベリジン、４−アミノ−３−Ｎ−プロピル−Ｎ‘−ヒドロキシエチルピベリジン、５−アミノ−３−Ｎ−プロピル−Ｎ‘−ヒドロキシエチルピベリジン、６−アミノ−３−Ｎ−プロピル−Ｎ‘−ヒドロキシエチルピベリジン、２−アミノ−３−Ｎ−イソプロピルプロピル−Ｎ‘−ヒドロキシエチルピベリジン、４−アミノ−３−Ｎ−イソプロピルプロピル−Ｎ‘−ヒドロキシエチルピベリジン、５−アミノ−３−Ｎ−イソプロピルプロピル−Ｎ‘−ヒドロキシエチルピベリジン、６−アミノ−３−Ｎ−イソプロピルプロピル−Ｎ‘−ヒドロキシエチルピベリジン、２−アミノ−３−Ｎ−メチル−Ｎ‘−ヒドロキシプロピルピベリジン、４−アミノ−３−Ｎ−メチル−Ｎ‘−ヒドロキシプロピルピベリジン、５−アミノ−３−Ｎ−メチル−Ｎ‘−ヒドロキシプロピルピベリジン、６−アミノ−３−Ｎ−メチル−Ｎ‘−ヒドロキシプロピルピベリジン、２−アミノ−３−Ｎ−エチル−Ｎ’−ヒドロキシプロピルピベリジン、４−アミノ−３−Ｎ−エチル−Ｎ’−ヒドロキシプロピルピベリジン、５−アミノ−３−Ｎ−エチル−Ｎ’−ヒドロキシプロピルピベリジン、６−アミノ−３−Ｎ−エチル−Ｎ’−ヒドロキシプロピルピベリジン、２−アミノ−３−Ｎ−プロピル−Ｎ‘−ヒドロキシプロピルピベリジン、４−アミノ−３−Ｎ−プロピル−Ｎ‘−ヒドロキシプロピルピベリジン、５−アミノ−３−Ｎ−プロピル−Ｎ‘−ヒドロキシプロピルピベリジン、６−アミノ−３−Ｎ−プロピル−Ｎ‘−ヒドロキシプロピルピベリジン、２−アミノ−３−Ｎ−イソプロピルプロピル−Ｎ‘−ヒドロキシプロピルピベリジン、４−アミノ−３−Ｎ−イソプロピルプロピル−Ｎ‘−ヒドロキシプロピルピベリジン、５−アミノ−３−Ｎ−イソプロピルプロピル−Ｎ‘−ヒドロキシプロピルピベリジン、６−アミノ−３−Ｎ−イソプロピルプロピル−Ｎ‘−ヒドロキシプロピルピベリジン、２−アミノ−３−ヒドロキシエチルアミノピペリジン、４−アミノ−３−ヒドロキシエチルアミノピペリジン、５−アミノ−３−ヒドロキシアミノピペリジン、２−ヒドロキシエチルアミノ−３−Ｎ−メチルピベリジン、４−ヒドロキシエチルアミノ−３−Ｎ−メチルピベリジン、５−ヒドロキシエチルアミノ−３−Ｎ−メチルピベリジン、６−ヒドロキシエチルアミノ−３−Ｎ−メチルピベリジン、２−ヒドロキシエチルアミノ−３−Ｎ−エチルピベリジン、４−ヒドロキシエチルアミノ−３−Ｎ−エチルピベリジン、５−ヒドロキシエチルアミノ−３−Ｎ−エチルピベリジン、６−ヒドロキシエチルアミノ−３−Ｎ−エチルピベリジン、２−ヒドロキシエチルアミノ−３−Ｎ−プロピルピベリジン、４−ヒドロキシエチルアミノ−３−Ｎ−プロピルピベリジン、５−ヒドロキシエチルアミノ−３−Ｎ−プロピルピベリジン、６−ヒドロキシエチルアミノ−３−Ｎ−プロピルピベリジン、２−ヒドロキシエチルアミノ−３−Ｎ−イソプロピルピベリジン、４−ヒドロキシエチルアミノ−３−Ｎ−イソプロピルピベリジン、５−ヒドロキシエチルアミノ−３−Ｎ−イソプロピルピベリジン、６−ヒドロキシエチルアミノ−３−Ｎ−イソプロピルピベリジン、２−ヒドロキシアミノ−３−Ｎ，Ｎ−ジメチルピベリジン、４−ヒドロキシエチルエチルアミノ−３−Ｎ，Ｎ−ジメチルピベリジン、５−ヒドロキシエチルアミノ−３−Ｎ，Ｎ−ジメチルピベリジン、６−ヒドロキシエチルアミノ−３−Ｎ，Ｎ−ジメチルピベリジン、２−ヒドロキシエチルアミノ−３−Ｎ，Ｎ−ジエチルピベリジン、４−ヒドロキシエチルアミノ−３−Ｎ，Ｎ−ジエチルピベリジン、５−ヒドロキシエチルアミノ−３−Ｎ，Ｎ−ジエチルピベリジン、６−ヒドロキシエチルアミノ−３−Ｎ，Ｎ−ジエチルピベリジン、２−ヒドロキシエチルアミノ−３−Ｎ，Ｎ−ジプロピルピベリジン、４−ヒドロキシエチルアミノ−３−Ｎ，Ｎ−ジプロピルピベリジン、５−ヒドロキシエチルアミノ−３−Ｎ，Ｎ−ジプロピルピベリジン、６−ヒドロキシエチルアミノ−３−Ｎ，Ｎ−ジプロピルピベリジン、２−ヒドロキシエチルアミノ−３−Ｎ，Ｎ−ジイソプロピルピベリジン、４−ヒドロキシエチルアミノ−３−Ｎ，Ｎ−ジイソプロピルピベリジン、５−ヒドロキシエチルアミノ−３−Ｎ，Ｎ−ジイソプロピルピベリジン、６−ヒドロキシエチルアミノ−３−Ｎ，Ｎ−ジイソプロピルピベリジン、２−ヒドロキシエチルアミノ−３−Ｎ−ヒドロキシメチルピベリジン、４−ヒドロキシエチルアミノ−３−Ｎ−ヒドロキシメチルピベリジン、５−ヒドロキシエチルアミノ−３−Ｎ−ヒドロキシメチルピベリジン、６−ヒドロキシエチルアミノ−３−Ｎ−ヒドロキシメチルピベリジン、２−ヒドロキシエチルアミノ−３−Ｎ−ヒドロキシエチルピベリジン、４−ヒドロキシエチルアミノ−３−Ｎ−ヒドロキシエチルピベリジン、５−アミノ−３−Ｎ−ヒドロキシエチルピベリジン、６−ヒドロキシエチルアミノ−３−Ｎ−ヒドロキシエチルピベリジン、２−ヒドロキシエチルアミノ−３−Ｎ−ヒドロキシプロピルピベリジン、４−アミノ−３−Ｎ−ヒドロキシプロピルピベリジン、５−ヒドロキシエチルアミノ−３−Ｎ−ヒドロキシプロピルピベリジン、６−ヒドロキシエチルアミノ−３−Ｎ−ヒドロキシプロピルピベリジン、２−ヒドロキシエチルアミノ−３−Ｎ，Ｎ−ジヒドロキシメチルピベリジン、４−ヒドロキシエチルアミノ−３−Ｎ，Ｎ−ジヒドロキシメチルピベリジン、５−ヒドロキシエチルアミノ−３−Ｎ，Ｎ−ジヒドロキシメチルピベリジン、６−ヒドロキシエチルアミノ−３−Ｎ，Ｎ−ジヒドロキシメチルピベリジン、２−ヒドロキシエチルアミノ−３−Ｎ，Ｎ−ジヒドロキシエチルピベリジン、４−ヒドロキシエチルアミノ−３−Ｎ，Ｎ−ジヒドロキシエチルピベリジン、５−ヒドロキシエチルアミノ−３−Ｎ，Ｎ−ジヒドロキシエチルピベリジン、６−ヒドロキシエチルアミノ−２−Ｎ，Ｎ−ジヒドロキシエチルピベリジン、２−ヒドロキシエチルアミノ−３−Ｎ，Ｎ−ジヒドロキシプロピルピベリジン、４−ヒドロキシエチルアミノ−３−Ｎ，Ｎ−ジヒドロキシプロピルピベリジン、５−ヒドロキシエチルアミノ−３−Ｎ，Ｎ−ジヒドロキシプロピルピベリジン、６−ヒドロキシエチルアミノ−３−Ｎ，Ｎ−ジヒドロキシプロピルピベリジン、２−ヒドロキシエチルアミノ−３−Ｎ−メチル−Ｎ‘−ヒドロキシメチルピベリジン、４−ヒドロキシエチルアミノ−３−Ｎ−メチル−Ｎ‘−ヒドロキシメチルピベリジン、５−ヒドロキシエチルアミノ−３−Ｎ−メチル−Ｎ‘−ヒドロキシメチルピベリジン、６−ヒドロキシエチルアミノ−３−Ｎ−メチル−Ｎ‘−ヒドロキシメチルピベリジン、２−ヒドロキシエチルアミノ−３−Ｎ−エチル−Ｎ’−ヒドロキシメチルピベリジン、４−ヒドロキシエチルアミノ−３−Ｎ−エチル−Ｎ’−ヒドロキシメチルピベリジン、５−ヒドロキシエチルアミノ−３−Ｎ−エチル−Ｎ’−ヒドロキシメチルピベリジン、６−ヒドロキシエチルアミノ−３−Ｎ−エチル−Ｎ’−ヒドロキシメチルピベリジン、２−ヒドロキシエチルアミノ−３−Ｎ−プロピル−Ｎ‘−ヒドロキシメチルピベリジン、４−ヒドロキシエチルアミノ−３−Ｎ−プロピル−Ｎ‘−ヒドロキシメチルピベリジン、５−ヒドロキシエチルアミノ−３−Ｎ−プロピル−Ｎ‘−ヒドロキシメチルピベリジン、６−ヒドロキシエチルアミノ−３−Ｎ−プロピル−Ｎ‘−ヒドロキシメチルピベリジン、２−ヒドロキシエチルアミノ−３−Ｎ−イソプロピルプロピル−Ｎ‘−ヒドロキシメチルピベリジン、４−ヒドロキシエチルアミノ−３−Ｎ−イソプロピルプロピル−Ｎ‘−ヒドロキシメチルピベリジン、５−ヒドロキシエチルアミノ−３−Ｎ−イソプロピルプロピル−Ｎ‘−ヒドロキシメチルピベリジン、６−ヒドロキシエチルアミノ−３−Ｎ−イソプロピルプロピル−Ｎ‘−ヒドロキシメチルピベリジン、２−ヒドロキシエチルアミノ−３−Ｎ−メチル−Ｎ‘−ヒドロキシエチルピベリジン、４−ヒドロキシエチルアミノ−３−Ｎ−メチル−Ｎ‘−ヒドロキシエチルピベリジン、５−ヒドロキシエチルアミノ−３−Ｎ−メチル−Ｎ‘−ヒドロキシエチルピベリジン、６−ヒドロキシエチルアミノ−３−Ｎ−メチル−Ｎ‘−ヒドロキシエチルピベリジン、２−ヒドロキシエチルアミノ−３−Ｎ−エチル−Ｎ’−ヒドロキシエチルピベリジン、４−ヒドロキシエチルアミノ−３−Ｎ−エチル−Ｎ’−ヒドロキシエチルピベリジン、５−ヒドロキシエチルアミノ−３−Ｎ−エチル−Ｎ’−ヒドロキシエチルピベリジン、６−ヒドロキシエチルアミノ−３−Ｎ−エチル−Ｎ’−ヒドロキシエチルピベリジン、２−ヒドロキシエチルアミノ−３−Ｎ−プロピル−Ｎ‘−ヒドロキシエチルピベリジン、４−ヒドロキシエチルアミノ−３−Ｎ−プロピル−Ｎ‘−ヒドロキシエチルピベリジン、５−ヒドロキシエチルアミノ−３−Ｎ−プロピル−Ｎ‘−ヒドロキシエチルピベリジン、６−ヒドロキシエチルアミノ−３−Ｎ−プロピル−Ｎ‘−ヒドロキシエチルピベリジン、２−ヒドロキシエチルアミノ−３−Ｎ−イソプロピルプロピル−Ｎ‘−ヒドロキシエチルピベリジン、４−ヒドロキシエチルアミノ−３−Ｎ−イソプロピルプロピル−Ｎ‘−ヒドロキシエチルピベリジン、５−ヒドロキシエチルアミノ−３−Ｎ−イソプロピルプロピル−Ｎ‘−ヒドロキシエチルピベリジン、６−ヒドロキシエチルアミノ−３−Ｎ−イソプロピルプロピル−Ｎ‘−ヒドロキシエチルピベリジン、２−ヒドロキシエチルアミノ−３−Ｎ−メチル−Ｎ‘−ヒドロキシプロピルピベリジン、４−ヒドロキシエチルアミノ−３−Ｎ−メチル−Ｎ‘−ヒドロキシプロピルピベリジン、５−ヒドロキシエチルアミノ−３−Ｎ−メチル−Ｎ‘−ヒドロキシプロピルピベリジン、６−ヒドロキシエチルアミノ−３−Ｎ−メチル−Ｎ‘−ヒドロキシプロピルピベリジン、２−ヒドロキシエチルアミノ−３−Ｎ−エチル−Ｎ’−ヒドロキシプロピルピベリジン、４−ヒドロキシエチルアミノ−３−Ｎ−エチル−Ｎ’−ヒドロキシプロピルピベリジン、５−ヒドロキシエチルアミノ−３−Ｎ−エチル−Ｎ’−ヒドロキシプロピルピベリジン、６−ヒドロキシエチルアミノ−３−Ｎ−エチル−Ｎ’−ヒドロキシプロピルピベリジン、２−ヒドロキシエチルアミノ−３−Ｎ−プロピル−Ｎ‘−ヒドロキシプロピルピベリジン、４−ヒドロキシエチルアミノ−３−Ｎ−プロピル−Ｎ‘−ヒドロキシプロピルピベリジン、５−ヒドロキシエチルアミノ−３−Ｎ−プロピル−Ｎ‘−ヒドロキシプロピルピベリジン、６−ヒドロキシエチルアミノ−３−Ｎ−プロピル−Ｎ‘−ヒドロキシプロピルピベリジン、２−ヒドロキシエチルアミノ−３−Ｎ−イソプロピルプロピル−Ｎ‘−ヒドロキシプロピルピベリジン、４−ヒドロキシエチルアミノ−２−Ｎ−イソプロピルプロピル−Ｎ‘−ヒドロキシプロピルピベリジン、５−ヒドロキシエチルアミノ−３−Ｎ−イソプロピルプロピル−Ｎ‘−ヒドロキシプロピルピベリジン、６−ヒドロキシエチルアミノ−３−Ｎ−イソプロピルプロピル−Ｎ‘−ヒドロキシプロピルピベリジン
４−アミノピペリジンおよびその類似化合物として、４−Ｎ−メチルピベリジン、４−Ｎ−エチルピベリジン、４−Ｎ−プロピルピベリジン、４−Ｎ−イソプロピルピベリジン、４−Ｎ，Ｎ−ジメチルピベリジン、４−Ｎ，Ｎ−ジエチルピベリジン、４−Ｎ，Ｎ−ジプロピルピベリジン、４−Ｎ，Ｎ−ジイソプロピルピベリジン、４−Ｎ−ヒドロキシメチルピベリジン、４−Ｎ−ヒドロキシエチルピベリジン、４−Ｎ−ヒドロキシプロピルピベリジン、４−Ｎ，Ｎ−ジヒドロキシメチルピベリジン、４−Ｎ，Ｎ−ジヒドロキシエチルピベリジン、４−Ｎ，Ｎ−ジヒドロキシプロピルピベリジン、４−Ｎ−メチル−Ｎ‘−ヒドロキシメチルピベリジン、４−Ｎ−エチル−Ｎ’−ヒドロキシメチルピベリジン、４−Ｎ−プロピル−Ｎ‘−ヒドロキシメチルピベリジン、４−Ｎ−イソプロピルプロピル−Ｎ‘−ヒドロキシメチルピベリジン、４−Ｎ−メチル−Ｎ‘−ヒドロキシエチルピベリジン、４−Ｎ−エチル−Ｎ’−ヒドロキシエチルピベリジン、４−Ｎ−プロピル−Ｎ‘−ヒドロキシエチルピベリジン、４−イソプロピルプロピル−Ｎ‘−ヒドロキシエチルピベリジン、４−Ｎ−メチル−Ｎ‘−ヒドロキシプロピルピベリジン、４−Ｎ−エチル−Ｎ’−ヒドロキシプロピルピベリジン、４−Ｎ−プロピル−Ｎ‘−ヒドロキシプロピルピベリジン、４−Ｎ−イソプロピルプロピル−Ｎ‘−ヒドロキシプロピルピベリジン、２−メチル−４−アミノピベリジン、２−メチル−４−Ｎ−メチルピベリジン、２−メチル−４−Ｎ−エチルピベリジン、２−メチル−４−Ｎ−プロピルピベリジン、２−メチル−４−Ｎ−イソプロピルピベリジン、３−メチル−４−Ｎ−メチルピベリジン、３−メチル−４−Ｎ−エチルピベリジン、３−メチル−４−Ｎ−プロピルピベリジン、３−メチル−４−Ｎ−イソプロピルピベリジン、２−メチル−４−Ｎ，Ｎ−ジメチルピベリジン、２−メチル−４−Ｎ，Ｎ−ジエチルピベリジン、２−メチル−４−Ｎ，Ｎ−ジプロピルピベリジン、３−メチル−４−Ｎ，Ｎ−ジイソプロピルピベリジン、３−メチル−４−Ｎ，Ｎ−ジメチルピベリジン、４−メチル−４−Ｎ，Ｎ−ジエチルピベリジン、３−メチル−４−Ｎ，Ｎ−ジプロピルピベリジン、３−メチル−４−Ｎ，Ｎ−ジイソプロピルピベリジン、２−メチル−４−Ｎ−ヒドロキシメチルピベリジン、２−メチル−４−Ｎ−ヒドロキシエチルピベリジン、２−メチル−４−Ｎ−ヒドロキシプロピルピベリジン、３−メチル−４−Ｎ−ヒドロキシメチルピベリジン、３−メチル−４−Ｎ−ヒドロキシエチルピベリジン、３−メチル−４−Ｎ−ヒドロキシプロピルピベリジン、２−メチル−４−Ｎ−メチル−Ｎ‘−ヒドロキシメチルピベリジン、２−メチル−４−Ｎ−エチル−Ｎ’−ヒドロキシメチルピベリジン、２−メチル−４−Ｎ−プロピル−Ｎ‘−ヒドロキシメチルピベリジン、２−メチル−４−Ｎ−イソプロピルプロピル−Ｎ‘−ヒドロキシメチルピベリジン、３−メチル−４−Ｎ−メチル−Ｎ‘−ヒドロキシメチルピベリジン、３−メチル−４−Ｎ−エチル−Ｎ’−ヒドロキシメチルピベリジン、３−メチル−４−Ｎ−プロピル−Ｎ‘−ヒドロキシメチルピベリジン、３−メチル−４−Ｎ−イソプロピルプロピル−Ｎ‘−ヒドロキシメチルピベリジン、２−メチル−４−Ｎ−メチル−Ｎ‘−ヒドロキシエチルピベリジン、２−メチル−４−Ｎ−エチル−Ｎ’−ヒドロキシエチルピベリジン、２−メチル−４−Ｎ−プロピル−Ｎ‘−ヒドロキシエチルピベリジン、２−メチル−４−Ｎ−イソプロピルプロピル−Ｎ‘−ヒドロキシエチルピベリジン、３−メチル−４−Ｎ−メチル−Ｎ‘−ヒドロキシエチルピベリジン、３−メチル−４−Ｎ−エチル−Ｎ’−ヒドロキシエチルピベリジン、３−メチル−４−Ｎ−プロピル−Ｎ‘−ヒドロキシエチルピベリジン、３−メチル−４−Ｎ−イソプロピルプロピル−Ｎ‘−ヒドロキシエチルピベリジン、２−メチル−４−Ｎ−メチル−Ｎ‘−ヒドロキシプロピルピベリジン、２−メチル−４−Ｎ−エチル−Ｎ’−ヒドロキシプロピルピベリジン、２−メチル−４−Ｎ−プロピル−Ｎ‘−ヒドロキシプロピルピベリジン、２−メチル−４−Ｎ−イソプロピル−Ｎ‘−ヒドロキシプロピルピベリジン、３−メチル−４−Ｎ−メチル−Ｎ‘−ヒドロキシプロピルピベリジン、３−メチル−４−Ｎ−エチル−Ｎ’−ヒドロキシプロピルピベリジン、３−メチル−４−Ｎ−プロピル−Ｎ‘−ヒドロキシプロピルピベリジン、３−メチル−４−Ｎ−イソプロピルプロピル−Ｎ‘−ヒドロキシプロピルピベリジン、２−エチル−４−Ｎ−メチル−Ｎ‘−ヒドロキシプロピルピベリジン、２−エチル−４−Ｎ−エチル−Ｎ’−ヒドロキシプロピルピベリジン、２−エチル−４−Ｎ−プロピル−Ｎ‘−ヒドロキシプロピルピベリジン、２−エチル−４−Ｎ−イソプロピル−Ｎ‘−ヒドロキシプロピルピベリジン、４−エチル−４−Ｎ−メチル−Ｎ‘−ヒドロキシプロピルピベリジン、３−エチル−４−Ｎ−エチル−Ｎ’−ヒドロキシプロピルピベリジン、３−エチル−４−Ｎ−プロピル−Ｎ‘−ヒドロキシプロピルピベリジン、３−エチル−４−Ｎ−イソプロピル−Ｎ‘−ヒドロキシプロピルピベリジン、２−プロピル−４−Ｎ−メチル−Ｎ‘−ヒドロキシプロピルピベリジン、２−プロピル−４−Ｎ−エチル−Ｎ’−ヒドロキシプロピルピベリジン、２−プロピル−４−Ｎ−プロピル−Ｎ‘−ヒドロキシプロピルピベリジン、２−プロピル−４−Ｎ−イソプロピル−Ｎ‘−ヒドロキシプロピルピベリジン、３−プロピル−４−Ｎ−メチル−Ｎ‘−ヒドロキシプロピルピベリジン、３−プロピル−４−Ｎ−エチル−Ｎ’−ヒドロキシプロピルピベリジン、３−プロピル−４−Ｎ−プロピル−Ｎ‘−ヒドロキシプロピルピベリジン、３−プロピル−４−Ｎ−イソプロピル−Ｎ‘−ヒドロキシプロピルピベリジン、
２−イソプロピル−４−Ｎ−メチル−Ｎ‘−ヒドロキシプロピルピベリジン、２−イソプロピル−４−Ｎ−エチル−Ｎ’−ヒドロキシプロピルピベリジン、２−イソプロピル−４−Ｎ−プロピル−Ｎ‘−ヒドロキシプロピルピベリジン、２−イソプロピル−４−Ｎ−イソプロピル−Ｎ‘−ヒドロキシプロピルピベリジン、３−イソプロピル−４−Ｎ−メチル−Ｎ‘−ヒドロキシプロピルピベリジン、３−イソプロピル−４−Ｎ−エチル−Ｎ’−ヒドロキシプロピルピベリジン、３−イソプロピル−４−Ｎ−プロピル−Ｎ‘−ヒドロキシプロピルピベリジン、３−イソプロピル−４−Ｎ−イソプロピル−Ｎ‘−ヒドロキシプロピルピベリジン、２−アミノ−４−Ｎ−メチルピベリジン、３−アミノ−４−Ｎ−メチルピベリジン、２−アミノ−４−Ｎ−エチルピベリジン、３−アミノ−４−Ｎ−エチルピベリジン、２−アミノ−４−Ｎ−プロピルピベリジン、３−アミノ−４−Ｎ−プロピルピベリジン、２−アミノ−４−Ｎ−イソプロピルピベリジン、３−アミノ−４−Ｎ−イソプロピルピベリジン、２−アミノ−４−Ｎ，Ｎ−ジメチルピベリジン、３−アミノ−４−Ｎ，Ｎ−ジメチルピベリジン、２−アミノ−４−Ｎ，Ｎ−ジエチルピベリジン、３−アミノ−４−Ｎ，Ｎ−ジエチルピベリジン、２−アミノ−４−Ｎ，Ｎ−ジプロピルピベリジン、３−アミノ−４−Ｎ，Ｎ−ジプロピルピベリジン、２−アミノ−４−Ｎ，Ｎ−ジイソプロピルピベリジン、３−アミノ−４−Ｎ，Ｎ−ジイソプロピルピベリジン、２−アミノ−４−Ｎ−ヒドロキシメチルピベリジン、３−アミノ−４−Ｎ−ヒドロキシメチルピベリジン、２−アミノ−４−Ｎ−ヒドロキシエチルピベリジン、３−アミノ−４−Ｎ−ヒドロキシエチルピベリジン、２−アミノ−４−Ｎ−ヒドロキシプロピルピベリジン、３−アミノ−４−Ｎ−ヒドロキシプロピルピベリジン、２−アミノ−４−Ｎ，Ｎ−ジヒドロキシメチルピベリジン、３−アミノ−４−Ｎ，Ｎ−ジヒドロキシメチルピベリジン、２−アミノ−４−Ｎ，Ｎ−ジヒドロキシエチルピベリジン、３−アミノ−４−Ｎ，Ｎ−ジヒドロキシエチルピベリジン、２−アミノ−４−Ｎ，Ｎ−ジヒドロキシプロピルピベリジン、３−アミノ−４−Ｎ，Ｎ−ジヒドロキシプロピルピベリジン、２−アミノ−４−Ｎ−メチル−Ｎ‘−ヒドロキシメチルピベリジン、３−アミノ−−Ｎ−メチル−Ｎ‘−ヒドロキシメチルピベリジン、２−アミノ−４−Ｎ−エチル−Ｎ’−ヒドロキシメチルピベリジン、３−アミノ−４−Ｎ−エチル−Ｎ’−ヒドロキシメチルピベリジン、２−アミノ−４−Ｎ−プロピル−Ｎ‘−ヒドロキシメチルピベリジン、３−アミノ−４−Ｎ−プロピル−Ｎ‘−ヒドロキシメチルピベリジン、２−アミノ−４−Ｎ−イソプロピルプロピル−Ｎ‘−ヒドロキシメチルピベリジン、３−アミノ−４−Ｎ−イソプロピルプロピル−Ｎ‘−ヒドロキシメチルピベリジン、２−アミノ−４−Ｎ−メチル−Ｎ‘−ヒドロキシエチルピベリジン、３−アミノ−４−Ｎ−メチル−Ｎ‘−ヒドロキシエチルピベリジン、２−アミノ−４−Ｎ−エチル−Ｎ’−ヒドロキシエチルピベリジン、３−アミノ−４−Ｎ−エチル−Ｎ’−ヒドロキシエチルピベリジン、２−アミノ−４−Ｎ−プロピル−Ｎ‘−ヒドロキシエチルピベリジン、３−アミノ−４−Ｎ−プロピル−Ｎ‘−ヒドロキシエチルピベリジン、２−アミノ−４−Ｎ−イソプロピルプロピル−Ｎ‘−ヒドロキシエチルピベリジン、３−アミノ−４−Ｎ−イソプロピルプロピル−Ｎ‘−ヒドロキシエチルピベリジン、２−アミノ−４−Ｎ−メチル−Ｎ‘−ヒドロキシプロピルピベリジン、３−アミノ−４−Ｎ−メチル−Ｎ‘−ヒドロキシプロピルピベリジン、２−アミノ−４−Ｎ−エチル−Ｎ’−ヒドロキシプロピルピベリジン、３−アミノ−４−Ｎ−エチル−Ｎ’−ヒドロキシプロピルピベリジン、２−アミノ−４−Ｎ−プロピル−Ｎ‘−ヒドロキシプロピルピベリジン、３−アミノ−４−Ｎ−プロピル−Ｎ‘−ヒドロキシプロピルピベリジン、２−アミノ−４−Ｎ−イソプロピルプロピル−Ｎ‘−ヒドロキシプロピルピベリジン、３−アミノ−４−Ｎ−イソプロピルプロピル−Ｎ‘−ヒドロキシプロピルピベリジン、２−アミノ−４−ヒドロキシエチルアミノピペリジン、３−アミノ−４−ヒドロキシエチルアミノピペリジン、２−ヒドロキシエチルアミノ−４−Ｎ−メチルピベリジン、３−ヒドロキシエチルアミノ−４−Ｎ−メチルピベリジン、２−ヒドロキシエチルアミノ−４−Ｎ−エチルピベリジン、３−ヒドロキシエチルアミノ−４−Ｎ−エチルピベリジン、２−ヒドロキシエチルアミノ−４−Ｎ−プロピルピベリジン、３−ヒドロキシエチルアミノ−４−Ｎ−プロピルピベリジン、２−ヒドロキシエチルアミノ−４−Ｎ−イソプロピルピベリジン、３−ヒドロキシエチルアミノ−４−Ｎ−イソプロピルピベリジン、２−ヒドロキシアミノ−４−Ｎ，Ｎ−ジメチルピベリジン、３−ヒドロキシエチルエチルアミノ−４−Ｎ，Ｎ−ジメチルピベリジン、２−ヒドロキシエチルアミノ−４−Ｎ，Ｎ−ジエチルピベリジン、３−ヒドロキシエチルアミノ−４−Ｎ，Ｎ−ジエチルピベリジン、２−ヒドロキシエチルアミノ−４−Ｎ，Ｎ−ジプロピルピベリジン、３−ヒドロキシエチルアミノ−４−Ｎ，Ｎ−ジプロピルピベリジン、２−ヒドロキシエチルアミノ−４−Ｎ，Ｎ−ジイソプロピルピベリジン、３−ヒドロキシエチルアミノ−４−Ｎ，Ｎ−ジイソプロピルピベリジン、２−ヒドロキシエチルアミノ−４−Ｎ−ヒドロキシメチルピベリジン、３−ヒドロキシエチルアミノ−４−Ｎ−ヒドロキシメチルピベリジン、２−ヒドロキシエチルアミノ−４−Ｎ−ヒドロキシエチルピベリジン、３−ヒドロキシエチルアミノ−４−Ｎ−ヒドロキシエチルピベリジン、２−ヒドロキシエチルアミノ−４−Ｎ−ヒドロキシプロピルピベリジン、３−アミノ−４−Ｎ−ヒドロキシプロピルピベリジン、２−ヒドロキシエチルアミノ−４−Ｎ，Ｎ−ジヒドロキシメチルピベリジン、３−ヒドロキシエチルアミノ−４−Ｎ，Ｎ−ジヒドロキシメチルピベリジン、２−ヒドロキシエチルアミノ−４−Ｎ，Ｎ−ジヒドロキシエチルピベリジン、３−ヒドロキシエチルアミノ−４−Ｎ，Ｎ−ジヒドロキシエチルピベリジン、２−ヒドロキシエチルアミノ−４−Ｎ，Ｎ−ジヒドロキシプロピルピベリジン、３−ヒドロキシエチルアミノ−４−Ｎ，Ｎ−ジヒドロキシプロピルピベリジン、２−ヒドロキシエチルアミノ−４−Ｎ−メチル−Ｎ‘−ヒドロキシメチルピベリジン、３−ヒドロキシエチルアミノ−４−Ｎ−メチル−Ｎ‘−ヒドロキシメチルピベリジン、２−ヒドロキシエチルアミノ−４−Ｎ−エチル−Ｎ’−ヒドロキシメチルピベリジン、３−ヒドロキシエチルアミノ−４−Ｎ−エチル−Ｎ’−ヒドロキシメチルピベリジン、２−ヒドロキシエチルアミノ−４−Ｎ−プロピル−Ｎ‘−ヒドロキシメチルピベリジン、３−ヒドロキシエチルアミノ−４−Ｎ−プロピル−Ｎ‘−ヒドロキシメチルピベリジン、２−ヒドロキシエチルアミノ−４−Ｎ−イソプロピルプロピル−Ｎ‘−ヒドロキシメチルピベリジン、３−ヒドロキシエチルアミノ−４−Ｎ−イソプロピルプロピル−Ｎ‘−ヒドロキシメチルピベリジン、２−ヒドロキシエチルアミノ−４−Ｎ−メチル−Ｎ‘−ヒドロキシエチルピベリジン、３−ヒドロキシエチルアミノ−４−Ｎ−メチル−Ｎ‘−ヒドロキシエチルピベリジン、２−ヒドロキシエチルアミノ−４−Ｎ−エチル−Ｎ’−ヒドロキシエチルピベリジン、３−ヒドロキシエチルアミノ−４−Ｎ−エチル−Ｎ’−ヒドロキシエチルピベリジン、２−ヒドロキシエチルアミノ−４−Ｎ−プロピル−Ｎ‘−ヒドロキシエチルピベリジン、３−ヒドロキシエチルアミノ−４−Ｎ−プロピル−Ｎ‘−ヒドロキシエチルピベリジン、２−ヒドロキシエチルアミノ−４−Ｎ−イソプロピルプロピル−Ｎ‘−ヒドロキシエチルピベリジン、３−ヒドロキシエチルアミノ−４−Ｎ−イソプロピルプロピル−Ｎ‘−ヒドロキシエチルピベリジン、２−ヒドロキシエチルアミノ−４−Ｎ−メチル−Ｎ‘−ヒドロキシプロピルピベリジン、４−ヒドロキシエチルアミノ−４−Ｎ−メチル−Ｎ‘−ヒドロキシプロピルピベリジン、２−ヒドロキシエチルアミノ−４−Ｎ−エチル−Ｎ’−ヒドロキシプロピルピベリジン、３−ヒドロキシエチルアミノ−４−Ｎ−エチル−Ｎ’−ヒドロキシプロピルピベリジン、２−ヒドロキシエチルアミノ−４−Ｎ−プロピル−Ｎ‘−ヒドロキシプロピルピベリジン、３−ヒドロキシエチルアミノ−４−Ｎ−プロピル−Ｎ‘−ヒドロキシプロピルピベリジン、２−ヒドロキシエチルアミノ−４−Ｎ−イソプロピルプロピル−Ｎ‘−ヒドロキシプロピルピベリジン、３−ヒドロキシエチルアミノ−４−Ｎ−イソプロピルプロピル−Ｎ‘−ヒドロキシプロピルピベリジン、
５−アミノ−１，３−ピペラジン、４−アミノ−１，３−ピペラジンおよびそれらの類似化合物として、５−Ｎ−メチルアミノ−１，３−ピペラジン、５−Ｎ−エチルアミノ−１，３−ピペラジン、５−Ｎ−プロピルアミノ−１，３−ピペラジン、５−Ｎ−イソプロピルアミノ−１，３−ピペラジン、５−Ｎ，Ｎ−ジメチルアミノ−１，３−ピペラジン、５−Ｎ，Ｎ−ジエチルアミノ−１，３−ピペラジン、５−Ｎ，Ｎ−ジプロピルアミノ−１，３−ピペラジン、５−Ｎ，Ｎ−ジイソプロピルアミノ−１，３−ピペラジン、５−Ｎ−ヒドロキシメチルアミノ−１，３−ピペラジン、５−Ｎ−ヒドロキシエチルアミノ−１，３−ピペラジン、５−Ｎ−ヒドロキシプロピルアミノ−１，３−ピペラジン、５−Ｎ−メチル−Ｎ‘−ヒドロキシメチルアミノ−１，３−ピペラジン、５−Ｎ−エチル−Ｎ‘−ヒドロキシメチルアミノ−１，３−ピペラジン、５−Ｎ−プロピル−Ｎ‘−ヒドロキシメチルアミノ−１，３−ピペラジン、５−Ｎ−イソプロピル−Ｎ‘−ヒドロキシメチルアミノ−１，３−ピペラジン、５−Ｎ−メチル−Ｎ‘−ヒドロキシエチルアミノ−１，３−ピペラジン、５−Ｎ−エチル−Ｎ‘−ヒドロキシエチルアミノ−１，３−ピペラジン、５−Ｎ−プロピル−Ｎ‘−ヒドロキシエチルアミノ−１，３−ピペラジン、５−Ｎ−イソプロピル−Ｎ‘−ヒドロキシエチルアミノ−１，３−ピペラジン、５−Ｎ，Ｎ−ジヒドロキシメチルアミノ−１，３−ピペラジン、５−Ｎ，Ｎ’−ヒドロキシエチルアミノ−１，３−ピペラジン、
４−Ｎ−メチルアミノ−１，３−ピペラジン、４−Ｎ−エチルアミノ−１，３−ピペラジン、４−Ｎ−プロピルアミノ−１，３−ピペラジン、４−Ｎ−イソプロピルアミノ−１，３−ピペラジン、４−Ｎ，Ｎ−ジメチルアミノ−１，３−ピペラジン、４−Ｎ，Ｎ−ジエチルアミノ−１，３−ピペラジン、５−Ｎ，Ｎ−ジプロピルアミノ−１，３−ピペラジン、４−Ｎ，Ｎ−ジイソプロピルアミノ−１，３−ピペラジン、４−Ｎ−ヒドロキシメチルアミノ−１，３−ピペラジン、４−Ｎ−ヒドロキシエチルアミノ−１，３−ピペラジン、５−Ｎ−メチル−Ｎ‘−ヒドロキシメチルアミノ−１，３−ピペラジン、４−Ｎ−エチル−Ｎ‘−ヒドロキシメチルアミノ−１，３−ピペラジン、４−Ｎ−プロピル−Ｎ‘−ヒドロキシメチルアミノ−１，３−ピペラジン、４−Ｎ−イソプロピル−Ｎ‘−ヒドロキシメチルアミノ−１，３−ピペラジン、４−Ｎ−メチル−Ｎ‘−ヒドロキシエチルアミノ−１，３−ピペラジン、４−Ｎ−エチル−Ｎ‘−ヒドロキシエチルアミノ−１，３−ピペラジン、４−Ｎ−プロピル−Ｎ‘−ヒドロキシエチルアミノ−１，３−ピペラジン、４−Ｎ−イソプロピル−Ｎ‘−ヒドロキシエチルアミノ−１，３−ピペラジン、４−Ｎ，Ｎ−ジヒドロキシメチルアミノ−１，３−ピペラジン、４−Ｎ，Ｎ’−ヒドロキシエチルアミノ−１，３−ピペラジン、
２−アミノ−１，４−ピペラジンおよびその類似化合物として、２−Ｎ−メチルアミノ−１，４−ピペラジン、２−Ｎ−エチルアミノ−１，４−ピペラジン、２−Ｎ−プロピルアミノ−１，４−ピペラジン、２−Ｎ−イソプロピルアミノ−１，４−ピペラジン、２−Ｎ，Ｎ−ジメチルアミノ−１，４−ピペラジン、２−Ｎ，Ｎ−ジエチルアミノ−１，４−ピペラジン、２−Ｎ，Ｎ−ジプロピルアミノ−１，４−ピペラジン、２−Ｎ，Ｎ−ジイソプロピルアミノ−１，４−ピペラジン、
２−Ｎ−ヒドロキシメチルアミノ−１，４−ピペラジン、２−Ｎ−ヒドロキシエチルアミノ−１，４−ピペラジン、２−Ｎ−ヒドロキシプロピルアミノ−１，４−ピペラジン、２−Ｎ−メチル−Ｎ‘−ヒドロキシメチルアミノ−１，４−ピペラジン２−Ｎ−エチル−Ｎ‘−ヒドロキシメチルアミノ−１，４−ピペラジン、２−Ｎ−プロピル−Ｎ‘−ヒドロキシメチルアミノ−１，４−ピペラジン、３−Ｎ−イソプロピル−Ｎ‘−ヒドロキシメチルアミノ−１，４−ピペラジン、２−Ｎ−メチル−Ｎ‘−ヒドロキシエチルアミノ−１，４−ピペラジン、２−Ｎ−エチル−Ｎ‘−ヒドロキシエチルアミノ−１，４−ピペラジン、２−Ｎ−プロピル−Ｎ‘−ヒドロキシエチルアミノ−１，４−ピペラジン、２−Ｎ−イソプロピル−Ｎ‘−ヒドロキシエチルアミノ−１，４−ピペラジン、２−Ｎ，Ｎ−ジヒドロキシメチルアミノ−１，４−ピペラジン、２−Ｎ，Ｎ’−ジヒドロキシエチルアミノ−１，４−ピペラジン、２−Ｎ，Ｎ’−ジヒドロキシプロピルアミノ−１，４−ピペラジン、
６−アミノ−１，３，５−ペルヒドロトリアジンおよびその類似化合物として、６−Ｎ−メチルアミノ−１，３，５−ペルヒドロトリアジン、６−Ｎ−エチルアミノ−１，３，５−ペルヒドロトリアジン、６−Ｎ−プロピルアミノ−１，３，５−ペルヒドロトリアジン、６−Ｎ−イソプロピルアミノ−１，３，５−ペルヒドロトリアジン、６−Ｎ，Ｎ−ジメチルアミノ−１，３，５−ペルヒドロトリアジン、６−Ｎ，Ｎ−ジエチルアミノ−１，３，５−ペルヒドロトリアジン、６−Ｎ，Ｎ−ジプロピルアミノ−１，３，５−ペルヒドロトリアジン、６−Ｎ，Ｎ−ジイソプロピルアミノ−１，３，５−ペルヒドロトリアジン、６−Ｎ−ヒドロキシメチルアミノ−１，３，５−ペルヒドロトリアジン、６−Ｎ−ヒドロキシエチルアミノ−１，３，５−ペルヒドロトリアジン、６−Ｎ−ヒドロキシプロピルアミノ−１，３，５−ペルヒドロトリアジン、６−Ｎ−ヒドロキシメチルアミノ−１，３，５−ペルヒドロトリアジン、６−Ｎ−ヒドロキシイソプロピルアミノ−１，３，５−ペルヒドロトリアジン、６−Ｎ−ヒドロキシメチルアミノ−１，３，５−ペルヒドロトリアジン、６−Ｎ−メチル−Ｎ‘−ヒドロキシエチルアミノ−１，３，５−ペルヒドロトリアジン、６−Ｎ−メチル−Ｎ’−ヒドロキシプロピルアミノ−１，３，５−ペルヒドロトリアジン、６−Ｎ−メチル−Ｎ‘−ヒドロキシメチルアミノ−１，３，５−ペルヒドロトリアジン、６−Ｎ−メチル−Ｎ’−ヒドロキシイソプロピルアミノ−１，３，５−ペルヒドロトリアジン、６−Ｎ−ヒドロキシメチルアミノ−１，３，５−ペルヒドロトリアジン、６−Ｎ−エチル−Ｎ‘−ヒドロキシエチルアミノ−１，３，５−ペルヒドロトリアジン、６−Ｎ−エチル−Ｎ’−ヒドロキシプロピルアミノ−１，３，５−ペルヒドロトリアジン、６−Ｎ−エチル−Ｎ‘−ヒドロキシメチルアミノ−１，３，５−ペルヒドロトリアジン、６−Ｎ−エチル−Ｎ’−ヒドロキシイソプロピルアミノ−１，３，５−ペルヒドロトリアジン、６−Ｎ−プロピル−Ｎ‘−ヒドロキシエチルアミノ−１，３，５−ペルヒドロトリアジン、６−Ｎ−プロピル−Ｎ’−ヒドロキシプロピルアミノ−１，３，５−ペルヒドロトリアジン、６−Ｎ−プロピル−Ｎ‘−ヒドロキシメチルアミノ−１，３，５−ペルヒドロトリアジン、６−Ｎ−プロピル−Ｎ’−ヒドロキシイソプロピルアミノ−１，３，５−ペルヒドロトリアジン、６−Ｎ−イソプロピル−Ｎ‘−ヒドロキシエチルアミノ−１，３，５−ペルヒドロトリアジン、６−Ｎ−イソプロピル−Ｎ’−ヒドロキシプロピルアミノ−１，３，５−ペルヒドロトリアジン、６−Ｎ−イソプロピル−Ｎ‘−ヒドロキシメチルアミノ−１，３，５−ペルヒドロトリアジン、６−Ｎ−イソプロピル−Ｎ’−ヒドロキシイソプロピルアミノ−１，３，５−ペルヒドロトリアジン、６−Ｎ，Ｎ−ジヒドロキシメチルアミノ−１，３，５−ペルヒドロトリアジン、６−Ｎ，Ｎ−ジヒドロキシエチルアミノ−１，３，５−ペルヒドロトリアジン、６−Ｎ，Ｎ−ジヒドロキシプロピルアミノ−１，３，５−ペルヒドロトリアジン、
【００２４】
二酸化炭素吸収剤は、一般に、二酸化炭素の吸収量(吸収能力)が大きいことが求められる。
しかしながら、プロセスでの吸収効率、言い換えれば、吸収系と脱離系の間で二酸化炭素吸収剤が循環されるときの二酸化炭素吸収剤単位質量当たりの二酸化炭素吸収・脱離量は、吸収量と脱離後の残存量の差、すなわち、吸収能力と脱離能力のバランスで決定されるものであり、吸収量が大きくても脱離が不十分なために脱離後の二酸化炭素残存量が多い場合は、十分な吸収効率を発揮することができない。
この意味では、汎用されるモノエタノールアミンは、単位質量当たりの二酸化炭素吸収量が大きなものであるが、脱離後の残存量も比較的大きく、二酸化炭素吸収剤の処理能力としては、必ずしも十分ではないということができる。これは、モノエタノールアミンの分子量当たりの塩基度が大きいことにより二酸化炭素吸収量が大きくなる反面、モノエタノールアミンの塩基度が大きいことと、分子量が小さいことで二酸化炭素の分離が抑制されることにより脱離後の二酸化炭素残存量も大きくなることによるものと考えられる。
【００２５】
これに対して、本実施の形態に係る二酸化炭素吸収剤は、六員環構造を有することで、相対的に大きな分子量のアミン化合物とすることができる。
【００２６】
また、本実施の形態に係る二酸化炭素吸収剤は、例えば、大気圧程度の圧力で二酸化炭素吸収剤から二酸化炭素を脱離するときの温度を６０℃〜１００℃℃と、従来に比べて低くすることができ、脱離のために二酸化炭素吸収剤を加熱するエネルギが少なくて済む。
【００２７】
また、本実施の形態に係る二酸化炭素吸収剤は、水溶液であるため、二酸化炭素を含有するガスが水分を含むときに、脱離工程においてヒドロキシエチル基の水酸基が水と会合することにより沸点が上昇し、二酸化炭素にアミン化合物が混じって系外に放出されることによるアミン化合物のロスを抑制することができる。
これに対して、二酸化炭素吸収剤が非水性吸収剤の場合は、吸収工程において吸収した水分と二酸化炭素吸収剤が分離するために二酸化炭素の吸収量が小さくなるとともに、脱離工程において二酸化炭素にアミン化合物が混じって系外に放出されやすい。
【００２８】
つぎに、本実施の形態に係る二酸化炭素吸収方法は、上記本実施の形態に係る二酸化炭素吸収剤を用い、二酸化炭素を含有するガスから二酸化炭素を吸収した後、吸収した二酸化炭素を脱離する方法である。
本実施の形態に係る二酸化炭素吸収方法は、例えば、大気圧程度の圧力下、４０℃〜８０℃の温度で二酸化炭素吸収剤をガスに接触させて二酸化炭素を吸収した後、６０℃〜１００℃の温度で二酸化炭素吸収剤から二酸化炭素を脱離する。
これにより、上記本実施の形態に係る二酸化炭素吸収剤の効果を好適に得ることができる。
【００２９】
また、本実施の形態に係る二酸化炭素吸収方法は、二酸化炭素を脱離するときの温度を従来より低い、例えば１００℃以下とすることができるため、低温排熱を二酸化炭素吸収剤の加熱源として利用することができ、これにより、プロセスの消費エネルギ量を減少することができる。
低温排熱、すなわち、二酸化炭素吸収剤から二酸化炭素を脱離するときの加熱源として、例えば発電業や鉄鋼業において大量に発生する排温水を好適に利用することができる。また、火力発電所等において多量発生する水蒸気を加熱源として利用することもできる。
【００３０】
以上説明した本実施の形態に係る二酸化炭素吸収剤および二酸化炭素吸収方法は、適宜の二酸化炭素発生源に対して用いることができ、例えば、溶鉱炉等から大量に発生する二酸化炭素を含むガスより二酸化炭素を吸収・回収する技術に好適に用いることができる。
【実施例】
【００３１】
実施例を挙げて、本発明をさらに説明する。なお、本発明は、以下に説明する実施例に限定されるものではない。
実施例は、図1に示す装置を用いて行った。図１中、参照符号１は人造ＣＯ２（１）：Ｎ２（４）ガスを、参照符号２はマスフローコントローラーを、参照符号３は温度計を、参照符号４はガス洗浄瓶を、参照符号５は高温水槽を、参照符号６は循環水冷却装置を、参照符号７は冷却菅を、参照符号８はＣＯ２メーターを、参照符号９はパーソナルコンピュータをそれぞれ示す。
【００３２】
（実施例１）
吸収瓶に、１ｍｏｌ／Ｌの濃度のＮ−ヒドロキシエチルアミノシクロヘキサン水溶液５０ｍｌを入れ、４０℃の高温槽中に入れ温度が一定になったとき、マスフローコントローラーを通して、ＣＯ２と窒素の混合ガスを７００ｍｌ／分にて１時間流した。その際、吸収瓶に接続される冷却菅（コンデンサ）の温度は５℃に保った。ＣＯ２の吸収量は、ＣＯ２メーターにて測定した。その後、高温槽を７０℃のものにかえて、吸収液に吸着したＣＯ２の脱離を行った。ＣＯ２の脱離時間は１時間とした。ＣＯ２の脱離量は、ＣＯ２メーターにて測定した。
また、Ｎ−ヒドロキシエチルアミノシクロヘキサン２モル／Ｌの水溶液についても同様に測定した。
これらＣＯ２の吸収量（単位：ｇ）およびＣＯ２の脱離量（単位：ｇ）の結果を表１に、およびＣＯ２の脱離量の結果を表２に、それぞれ示した。以下の他の例についても同様である。
【００３３】
（実施例２）
吸収液成分をシクロヘキシルアミンに代えたほかは実施例１と同様な方法で吸収・脱離実験を行った。
【００３４】
（実施例３）
吸収液成分を２−Ｎ−ヒドロキシエチル−アミノ−シクロヘキシルアミンに代えたほかは実施例１と同様な方法で吸収・脱離実験を行った。
【００３５】
（実施例４）
吸収液成分を２、３−ビス−Ｎ−ヒドロキシエチル−アミノ−シクロヘキサンに代えたほかは実施例１と同様な方法で吸収・脱離実験を行った。
【００３６】
（比較例）
吸収液成分をモノメチルアミンに代えたほかは実施例１と同様な方法で吸収・脱離実験を行った。
【００３７】
【表１】
2008238073.tif 000010
【００３８】
【表２】
2008238073.tif 000011
【図面の簡単な説明】
【００３９】
【図１】実施例で用いた装置の概略構成を示す図である。
【符号の説明】
【００４０】
１  人造ＣＯ２（１）：Ｎ２（４）ガス
２  マスフローコントローラー
３  温度計
４  ガス洗浄瓶
５  高温水槽
６  循環水冷却装置
７  冷却菅
８  ＣＯ２メーター
９  パーソナルコンピュータ
【図１】
2008238073.tif 000016